(57)【要約】  本開示は、伝送方法および関連する装置を提供し、当該方法は、送信すべきＮ個の上りチャネルで同時に送信できないと判断した場合、前記Ｎ個の上りチャネルのうち、各上りチャネルに対応する優先度に従って、前記Ｎ個の上りチャネルのうち、少なくとも一部の上りチャネルで送信することを含み、ここで、Ｎは１より大きい整数であり、前記上りチャネルに対応する優先度は、前記上りチャネルに対応する優先度決定パラメータに基づいて決定され、前記優先度決定パラメータは、少なくとも前記上りチャネルに対応するサービス情報を含む。【選択図】図２
2022500949.tif 000002
【特許請求の範囲】
【請求項１】
端末装置のための伝送方法であって、
送信すべきＮ個の上りチャネルで同時に送信できないと判断した場合、前記Ｎ個の上りチャネルのうち、それぞれの上りチャネルに対応する優先度に従って、前記Ｎ個の上りチャネルのうち、少なくとも一部の上りチャネルで送信することを含み、
ここで、Ｎは１より大きい整数であり、前記上りチャネルに対応する優先度は、前記上りチャネルに対応する優先度決定パラメータに基づいて決定され、前記優先度決定パラメータは、少なくとも前記上りチャネルに対応するサービス情報を含む、ことを特徴とする伝送方法。
【請求項２】
前記上りチャネルに対応するサービス情報は、
前記上りチャネルに含まれるデータに対応するサービスタイプ情報と、
前記上りチャネルでの送信をトリガーするのに対応するサービスタイプ情報と、の少なくとも１つを含む、ことを特徴とする請求項１に記載の伝送方法。
【請求項３】
前記上りチャネルに物理上り共有チャネルＰＵＳＣＨが含まれる場合、前記ＰＵＳＣＨに含まれるデータに対応するサービスタイプ情報には、前記ＰＵＳＣＨに含まれるデータの論理チャネルに対応する情報と、媒体アクセス制御制御ユニットＭＡＣ  ＣＥタイプと、媒体アクセス制御制御ユニットＭＡＣ  ＣＥの優先度との少なくとも１つが含まれる、
および／または、
前記上りチャネルに物理上り制御チャネルＰＵＣＣＨが含まれる場合、前記ＰＵＣＣＨに含まれるデータに対応するサービスタイプ情報には、データタイプと、データタイプに対応するサービス情報との少なくとも１つが含まれる、
および／または、
前記上りチャネルに物理ランダムアクセスチャネルＰＲＡＣＨが含まれる場合、前記ＰＲＡＣＨ送信をトリガーするのに対応するサービスタイプ情報には、前記ＰＲＡＣＨ送信をトリガーするトリガーイベントのタイプと、前記ＰＲＡＣＨ送信の論理チャネルをトリガーするのに対応する情報との少なくとも１つが含まれる、
および／または、
前記上りチャネルにサウンディングリファレンス信号ＳＲＳチャネルが含まれる場合、前記ＳＲＳ送信をトリガーするサービスタイプ情報には、前記ＳＲＳ送信をトリガーするトリガーイベントのタイプが含まれる、ことを特徴とする請求項２に記載の伝送方法。
【請求項４】
前記データタイプにスケジューリング要求ＳＲが含まれる場合、前記データタイプに対応するサービス情報には、前記ＳＲの送信の論理チャネルをトリガーするのに対応する情報が含まれる、
および／または、
前記データタイプにハイブリッド自動リピート要求ＨＡＲＱフィードバックが含まれる場合、前記データタイプに対応するサービス情報には、前記ＨＡＲＱ送信の論理チャネルをトリガーするのに対応する情報が含まれる、
および／または、
前記データタイプにチャネル状態情報ＣＳＩレポートが含まれる場合、前記データタイプに対応するサービス情報には、前記ＣＳＩレポートをトリガーするトリガータイプが含まれる、ことを特徴とする請求項３に記載の伝送方法。
【請求項５】
前記論理チャネルに対応する情報は、
論理チャネル識別子と、
論理チャネルの優先度と、
論理チャネルに対応するセルと、
論理チャネルに対応するセルグループと、
論理チャネルに対応するデータタイプと、
論理チャネルに対応する制御シグナリングタイプとの少なくとも１つを含む、ことを特徴とする請求項３または４に記載の伝送方法。
【請求項６】
前記ＰＲＡＣＨ送信をトリガーするトリガーイベントのタイプは、
無線リソース制御ＲＲＣのアイドル状態または非アクティブ状態の初期アクセスと、
無線リソース制御ＲＲＣの非アクティブ状態遷移と、
無線リソース制御ＲＲＣの接続の再確立と、
スイッチングと、
プライマリセルとセカンダリセルの追加または変更と、
無線リソース制御ＲＲＣの接続状態での下りデータ到着または上りデータ到着、かつ上り同期の状態が非同期状態にあることと、
セカンダリセルの上りタイミングを確立することと、
システム情報の要求と、
ビーム障害からの回復とのうちの少なくとも１つを含む、ことを特徴とする請求項３に記載の伝送方法。
【請求項７】
前記上りチャネルに異なるサービスタイプ情報に対応する少なくとも２つのデータが含まれる場合、前記上りチャネルに対応するサービス情報は、前記少なくとも２つのデータの優先度に基づき、前記少なくとも２つのデータに対応するサービスタイプ情報から決定される、ことを特徴とする請求項２に記載の伝送方法。
【請求項８】
前記上りチャネルに対応する優先度は、第１の対応関係および前記上りチャネルに対応するサービス情報に従って決定され、ここで、前記第１の対応関係は、上りチャネルに対応するサービス情報と上りチャネルに対応する優先度との間の対応関係である、ことを特徴とする請求項１に記載の伝送方法。
【請求項９】
前記第１の対応関係は、プロトコルによって事前定義される、または、
前記方法は、ネットワーク側装置によって送信される前記第１の対応関係を受信することをさらに含む、ことを特徴とする請求項８に記載の伝送方法。
【請求項１０】
前記Ｎ個の上りチャネルのそれぞれの上りチャネルに対応する優先度に従って、前記Ｎ個の上りチャネルのうち、少なくとも一部の上りチャネルで送信することは、
前記Ｎ個の上りチャネルのそれぞれに対応する優先度が同じである場合、前記Ｎ個の上りチャネルから、Ｍ個の上りチャネルをランダムに選択して送信することを含み、Ｍは同時に送信できる上りチャネルの数である、ことを特徴とする請求項１に記載の伝送方法。
【請求項１１】
前記優先度決定パラメータはさらに第１の情報を含み、前記第１の情報は、同時に送信できない上りチャネルの情報を示すためである、ことを特徴とする請求項１に記載の伝送方法。
【請求項１２】
前記第１の情報は、
チャネルの識別情報と、
前記Ｎ個の上りチャネルで同時に送信できない理由を示すための第２の情報と、
物理層によって決定されるチャネル送信優先度と、
同時に送信できる上りチャネルの数との少なくとも１つを含む、ことを特徴とする請求項１１に記載の伝送方法。
【請求項１３】
前記チャネルの識別情報は、
チャネルタイプと、
チャネルが属するセルの識別子と、
チャネルが属するセルグループの識別子と、
チャネルが属するセルタイプの識別と、
チャネルが属するアップリンクキャリア識別子との少なくとも１つを含む、
および／または、
前記第２の情報は、
送信電力が前記端末装置が許容する最大送信電力を超えていることを示すための情報と、
送信条件の制限のために同時に送信できないことを示すための情報と、
上りチャネルの物理リソースが占有されていることを示すための情報との少なくとも１つを含む、ことを特徴とする請求項１２に記載の伝送方法。
【請求項１４】
前記Ｎ個の上りチャネルのそれぞれの上りチャネルに対応する優先度に従って、前記Ｎ個の上りチャネルのうち、少なくとも一部の上りチャネルで送信する前に、前記方法は、
前記端末装置の物理層は、媒体アクセス制御ＭＡＣ層に前記第１の情報を指示することをさらに含む、ことを特徴とする請求項１１に記載の伝送方法。
【請求項１５】
前記Ｎ個の上りチャネル間の各上りチャネルに対応する優先度に従って、前記Ｎ個の上りチャネルのうち、少なくとも一部の上りチャネルで送信する前に、前記方法は、
前記ＭＡＣ層は、前記第１の情報と前記Ｎ個の上りチャネルの各上りチャネルに対応するサービス情報に従って、前記Ｎ個の上りチャネルのそれぞれの上りチャネルに対応する優先度を決定することをさらに含む、ことを特徴とする請求項１４に記載の伝送方法。
【請求項１６】
前記Ｎ個の上りチャネル間のそれぞれの上りチャネルに対応する優先度に従って、前記Ｎ個の上りチャネルのうち、少なくとも一部の上りチャネルで送信する前に、前記方法は、
前記端末装置の媒体アクセス制御ＭＡＣ層は、前記Ｎ個の上りチャネルのそれぞれの上りチャネルに対応するサービス情報を物理層に指示することと、
前記物理層は、前記Ｎ個の上りチャネルのそれぞれの上りチャネルに対応するサービス情報に従って、前記Ｎ個の上りチャネルのそれぞれの上りチャネルに対応する優先度を決定することとをさらに含む、ことを特徴とする請求項１に記載の伝送方法。
【請求項１７】
端末装置のための伝送方法であって、
第１の対応関係を端末装置に送信することを含み、ここで、前記第１の対応関係は、上りチャネルに対応するサービス情報と上りチャネルに対応する優先度との間の対応関係である、ことを特徴とする伝送方法。
【請求項１８】
端末装置であって、
送信すべきＮ個の上りチャネルで同時に送信できないと判断した場合、前記Ｎ個の上りチャネルのうち、それぞれの上りチャネルに対応する優先度に従って、前記Ｎ個の上りチャネルのうち、少なくとも一部の上りチャネルで送信するように構成される送信モジュールを備え、
ここで、Ｎは１より大きい整数であり、前記上りチャネルに対応する優先度は、前記上りチャネルに対応する優先度決定パラメータに基づいて決定され、前記優先度決定パラメータは、少なくとも前記上りチャネルに対応するサービス情報を含む、ことを特徴とする端末装置。
【請求項１９】
前記上りチャネルに対応するサービス情報は、
前記上りチャネルに含まれるデータに対応するサービスタイプ情報と、
前記上りチャネルでの送信をトリガーするのに対応するサービスタイプ情報との少なくとも１つを含む、ことを特徴とする請求項１８に記載の端末装置。
【請求項２０】
前記上りチャネルに物理上り共有チャネルＰＵＳＣＨが含まれる場合、前記ＰＵＳＣＨに含まれるデータに対応するサービスタイプ情報には、前記ＰＵＳＣＨに含まれるデータの論理チャネルに対応する情報と、媒体アクセス制御制御ユニットＭＡＣ  ＣＥタイプと、媒体アクセス制御制御ユニットＭＡＣ  ＣＥの優先度との少なくとも１つが含まれる、
および／または、
前記上りチャネルに物理上り制御チャネルＰＵＣＣＨが含まれる場合、前記ＰＵＣＣＨに含まれるデータに対応するサービスタイプ情報には、データタイプと、データタイプに対応するサービス情報との少なくとも１つが含まれる、
および／または、
前記上りチャネルに物理ランダムアクセスチャネルＰＲＡＣＨが含まれる場合、前記ＰＲＡＣＨ送信をトリガーするのに対応するサービスタイプ情報には、前記ＰＲＡＣＨ送信をトリガーするトリガーイベントのタイプと、前記ＰＲＡＣＨ送信の論理チャネルをトリガーするのに対応する情報との少なくとも１つが含まれる、
および／または、
前記上りチャネルにサウンディングリファレンス信号ＳＲＳチャネルが含まれる場合、前記ＳＲＳ送信をトリガーするサービスタイプ情報には、前記ＳＲＳ送信をトリガーするトリガーイベントのタイプが含まれる、ことを特徴とする請求項１９に記載の端末装置。
【請求項２１】
前記データタイプにスケジューリング要求ＳＲが含まれる場合、前記データタイプに対応するサービス情報には、前記ＳＲの送信の論理チャネルをトリガーするのに対応する情報が含まれる、
および／または、
前記データタイプにハイブリッド自動リピート要求ＨＡＲＱフィードバックが含まれる場合、前記データタイプに対応するサービス情報には、前記ＨＡＲＱ送信の論理チャネルをトリガーするのに対応する情報が含まれる、および／または、
前記データタイプにチャネル状態情報ＣＳＩレポートが含まれる場合、前記データタイプに対応するサービス情報には、前記ＣＳＩレポートをトリガーするトリガータイプが含まれる、ことを特徴とする請求項２０に記載の端末装置。
【請求項２２】
前記論理チャネルに対応する情報は、
論理チャネル識別子と、
論理チャネルの優先度と、
論理チャネルに対応するセルと、
論理チャネルに対応するセルグループと、
論理チャネルに対応するデータタイプと、
論理チャネルに対応する制御シグナリングタイプとの少なくとも１つを含む、ことを特徴とする請求項２０または２１に記載の端末装置。
【請求項２３】
前記ＰＲＡＣＨ送信をトリガーするトリガーイベントのタイプは、
無線リソース制御ＲＲＣのアイドル状態または非アクティブ状態の初期アクセスと、
無線リソース制御ＲＲＣの非アクティブ状態遷移と、
無線リソース制御ＲＲＣの接続の再確立と、
スイッチングと、
プライマリセルとセカンダリセルの追加または変更と、
無線リソース制御ＲＲＣの接続状態での下りデータ到着または上りデータ到着、かつ上り同期の状態が非同期状態にあることと、
セカンダリセルの上りタイミングを確立することと、
システム情報の要求と、
ビーム障害からの回復との少なくとも１つを含む、ことを特徴とする請求項２０に記載の端末装置。
【請求項２４】
前記上りチャネルに異なるサービスタイプ情報に対応する少なくとも２つのデータが含まれる場合、前記上りチャネルに対応するサービス情報は、前記少なくとも２つのデータの優先度に基づき、前記少なくとも２つのデータに対応するサービスタイプ情報から決定される、ことを特徴とする請求項１９に記載の端末装置。
【請求項２５】
前記上りチャネルに対応する優先度は、前記第１の対応関係および前記上りチャネルに対応するサービス情報に従って決定され、ここで、前記第１の対応関係は、上りチャネルに対応するサービス情報と上りチャネルに対応する優先度との間の対応関係である、ことを特徴とする請求項１８に記載の端末装置。
【請求項２６】
前記第１の対応関係は、プロトコルによって事前定義される、または、
前記端末装置は、
ネットワーク側装置によって送信される前記第１の対応関係を受信するように構成される受信モジュールをさらに含む、ことを特徴とする請求項２５に記載の端末装置。
【請求項２７】
前記優先度決定パラメータは第１の情報をさらに含み、前記第１の情報は、同時に送信できない上りチャネルの情報を示すためである、ことを特徴とする請求項１８に記載の端末装置。
【請求項２８】
前記第１の情報は、
チャネルの識別情報と、
前記Ｎ個の上りチャネルで同時に送信できない理由を示すための第２の情報、
物理層によって決定されるチャネル送信優先度と、
同時に送信できる上りチャネルの数との少なくとも１つを含む、ことを特徴とする請求項２７に記載の端末装置。
【請求項２９】
前記チャネルの識別情報は、
チャネルタイプと、
チャネルが属するセルの識別子と、
チャネルが属するセルグループの識別子と、
チャネルが属するセルタイプの識別と、
チャネルが属するアップリンクキャリア識別子との少なくとも１つを含む、
および／または、
前記第２の情報は、
送信電力が前記端末装置が許容する最大送信電力を超えていることを示すための情報と、
送信条件の制限のために同時に送信できないことを示すための情報と、
上りチャネルの物理リソースが占有されていることを示すための情報との少なくとも１つを含む、ことを特徴とする請求項２８に記載の端末装置。
【請求項３０】
ネットワーク側装置であって、
第１の対応関係を端末装置に送信するように構成される送信モジュールを備え、ここで、前記第１の対応関係は、上りチャネルに対応するサービス情報と上りチャネルに対応する優先度との間の対応関係である、ことを特徴とするネットワーク側装置。
【請求項３１】
プロセッサ、メモリ、および前記メモリに格納され前記プロセッサ上で実行されるコンピュータプログラムを備える端末装置であって、前記コンピュータプログラムは前記プロセッサによって実行されると、請求項１乃至１６のいずれか１項に記載の伝送方法のステップを実施する、ことを特徴とする端末装置。
【請求項３２】
プロセッサ、メモリ、および前記メモリに格納され前記プロセッサ上で実行されるコンピュータプログラムを備えるネットワーク側装置であって、前記コンピュータプログラムは前記プロセッサによって実行されると、請求項１７に記載の伝送方法のステップを実施する、ことを特徴とするネットワーク側装置。
【請求項３３】
コンピュータプログラムが記憶されているコンピュータ可読記憶媒体であって、前記コンピュータプログラムはプロセッサによって実行されると、請求項１乃至１６のいずれか１項に記載の伝送方法のステップ、または、請求項１７に記載の伝送方法のステップを実施する、ことを特徴とするコンピュータ可読記憶媒体。
【発明の詳細な説明】
【技術分野】
【０００１】
（関連出願の相互参照）
本出願は、２０１８年９月１９日に中国で提出された中国特許出願第２０１８１１０９５５７８．４号の優先権を主張し、その全内容は参照によりここに援用される。
本開示は、通信技術の分野、特に伝送方法および関連装置に関する。
【背景技術】
【０００２】
ユーザ装置（Ｕｓｅｒ  Ｅｑｕｉｐｍｅｎｔ、ＵＥと略称される）が２つ以上の独立した上りチャネルで同時に送信する場合、ユーザ装置ＵＥの上り送信電力が制限されているかどうか、およびユーザ装置ＵＥが上りチャネルで同時に送信できるかどうかなどによって、上記の２つ以上の上りチャネルで同時に送信することができるかどうかを判断する。ユーザ装置ＵＥは上記の２つ以上の上りチャネルで同時に送信できない場合、プロトコルで規定された物理層（Ｐｈｙ層）における上りチャネルの送信の優先順位に従って上りチャネルで送信するので、上りチャネルの送信制御の柔軟性が低下することに繋がる。
【発明の概要】
【発明が解決しようとする課題】
【０００３】
本開示の実施形態は、関連技術における上りチャネルの送信制御の柔軟性が悪い問題を解決するための伝送方法および関連装置を提供する。
【０００４】
上記の技術的問題を解決するために、本開示は以下のように実施される。
【課題を解決するための手段】
【０００５】
第１の態様では、本開示の実施形態は、伝送方法を提供する。当該方法は、
送信すべきＮ個の上りチャネルで同時に送信できないと判断した場合、前記Ｎ個の上りチャネルのうち、各上りチャネルに対応する優先度に従って、前記Ｎ個の上りチャネルのうち、少なくとも一部の上りチャネルで送信することを含む。
【０００６】
ここで、Ｎは１より大きい整数であり、前記上りチャネルに対応する優先度は、前記上りチャネルに対応する優先度決定パラメータに基づいて決定され、前記優先度決定パラメータは、少なくとも前記上りチャネルに対応するサービス情報を含む。
【０００７】
第２の態様では、本開示の実施形態はまた、伝送方法を提供する。当該方法は、
第１の対応関係を端末装置に送信することを含み、前記第１の対応関係は、上りチャネルに対応するサービス情報と上りチャネルに対応する優先度との間の対応関係である。
【０００８】
第３の態様では、本開示の実施形態はまた、端末装置を提供する。当該端末装置は、
送信すべきＮ個の上りチャネルで同時に送信できないと判断した場合、前記Ｎ個の上りチャネルのうち、各上りチャネルに対応する優先度に従って、前記Ｎ個の上りチャネルのうち、少なくとも一部の上りチャネルで送信するように構成される送信モジュールを備える。
【０００９】
ここで、Ｎは１より大きい整数であり、前記上りチャネルに対応する優先度は、前記上りチャネルに対応する優先度決定パラメータに基づいて決定され、前記優先度決定パラメータは、少なくとも前記上りチャネルに対応するサービス情報を含む。
【００１０】
第４の態様では、本開示の実施形態はまた、ネットワーク側装置を提供する。ネットワーク側装置は、
第１の対応関係を端末装置に送信する送信モジュールを備える。ここで、前記第１の対応関係は、上りチャネルに対応するサービス情報と上りチャネルに対応する優先度との間の対応関係である。
【００１１】
第５の態様では、本開示の実施形態はまた、プロセッサ、メモリ、および前記メモリに格納され前記プロセッサ上で実行されるコンピュータプログラムを備える端末装置を提供し、前記コンピュータプログラムは前記プロセッサによって実行されると、上記の第１の態様で提供される伝送方法のステップを実施する。
【００１２】
第６の態様では、本開示の実施形態はまた、プロセッサ、メモリ、および前記メモリに格納され前記プロセッサ上で実行されるコンピュータプログラムを備えるネットワーク側装置を提供し、前記コンピュータプログラムは前記プロセッサによって実行されると、上記の第２の態様で提供される伝送方法のステップを実施する。
【００１３】
第７の態様では、本開示の実施形態はまた、コンピュータプログラムが記憶されてあるコンピュータ可読記憶媒体を提供し、前記コンピュータプログラムはプロセッサによって実行されると、上記の第１の態様で提供される伝送方法のステップを実施する、または、上記の第２の態様で提供される伝送方法のステップを実施する。
【発明の効果】
【００１４】
本開示の実施形態では、送信すべきＮ個の上りチャネルで同時に送信できないと判断した場合、前記Ｎ個の上りチャネルのうち、各上りチャネルに対応する優先度に従って、前記Ｎ個の上りチャネルのうち、少なくとも一部の上りチャネルで送信。ここで、Ｎは１より大きい整数であり、前記上りチャネルに対応する優先度は、前記上りチャネルに対応する優先度決定パラメータに基づいて決定され、前記優先度決定パラメータは、少なくとも前記上りチャネルに対応するサービス情報を含む。本開示の実施形態は、各上りチャネルに対応するサービス情報に従って各上りチャネルの優先度をそれぞれ決定し、各チャネルの優先度に基づいて上りチャネルで送信することができ、関連技術においてプロトコルで規定された各チャネルの優先度に従って上りチャネルで送信することにより、上りチャネル送信の柔軟性を向上させる。
【００１５】
本開示の実施形態の技術案をより明確に説明するために、以下に、本開示の実施形態の説明に使用される添付の図面を簡単に紹介する。明らかに、以下に説明される図面は、本開示のいくつかの実施形態にすぎない。当業者は、これらの図面に基づいて、創造的な労働をかけずに他の図面を取得することができる。
【図面の簡単な説明】
【００１６】
【図１】本開示の一実施形態に適用可能なネットワークシステムの構造図である。
【図２】本開示の一実施形態によって提供される伝送方法のフローチャートである。
【図３】本開示の一実施形態によって提供される別の伝送方法のフローチャートである。
【図４】本開示の一実施形態によって提供される別の伝送方法のフローチャートである。
【図５】本開示の一実施形態によって提供される別の伝送方法のフローチャートである。
【図６】本開示の一実施形態によって提供される端末装置の構造図である。
【図７】本開示の一実施形態によって提供されるネットワーク側装置の構造図である。
【図８】本開示の一実施形態によって提供される別の端末装置の構造図である。
【図９】本開示の実施形態によって提供される別のネットワーク側装置の構造図である。
【発明を実施するための形態】
【００１７】
以下に、本開示の実施形態における技術案は、本開示の実施形態における添付の図面を参照して明確かつ完全に説明される。明らかに、説明される実施形態は、本開示の実施形態の一部であり、すべての実施形態ではない。本開示の実施形態に基づいて、創造的な労働なしに当業者によって得られる他のすべての実施形態は、本開示の保護範囲に含まれる。
【００１８】
理解を容易にするために、本開示の実施形態に係るいくつかの用語を以下に説明する。
【００１９】
上り伝送の衝突：
ユーザ装置（ＵｓｅｒＥｑｕｉｐｍｅｎｔ、ＵＥ）（端末装置とも呼ばれる）が２つ以上の独立した上りチャネルで同時に送信する場合、ユーザ装置ＵＥの上り送信電力が制限されているかどうか、およびユーザ装置ＵＥが上りチャネルで同時に送信できるかどうかによって、上記の２つ以上の上りチャネルで同時に送信することができるかどうかを判断する。ユーザ装置ＵＥは上記の２つ以上の上りチャネルで同時に送信できない場合、プロトコルで規定された物理層（ＰＨＹ層）における上りチャネルの送信の優先順位に従って上りチャネルで送信する。ここで、プロトコルで規定された物理層の上りチャネルの送信優先順位は次のとおりである。
【００２０】
プライマリセル（Ｐｒｉｍａｒｙ  Ｃｅｌｌ、ＰＣｅｌｌ）における物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）での伝送、
ハイブリッド自動リピート要求（Ｈｙｂｒｉｄ  Ａｕｔｏｍａｔｉｃ  Ｒｅｐｅａｔ  Ｒｅｑｕｅｓｔ、ＨＡＲＱ）のフィードバックありの物理上り制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）伝送、またはスケジューリング要求（Ｓｃｈｅｄｕｌｉｎｇ  Ｒｅｑｕｅｓｔ、ＳＲ）、またはＨＡＲＱフィードバックありの物理アップリンク共有チャネル（  Ｐｈｙｓｉｃａｌ  Ｕｐｌｉｎｋ  Ｓｈａｒｅｄ  Ｃｈａｎｎｅｌ、ＰＵＳＣＨ）伝送、
チャネル状態情報（Ｃｈａｎｎｅｌ  Ｓｔａｔｅ  Ｉｎｆｏｒｍａｔｉｏｎ、ＣＳＩ）ありのＰＵＣＣＨ伝送、またはＣＳＩありのＰＵＳＣＨ伝送、
ＨＡＲＱフィードバックなしのＰＵＳＣＨ伝送またはＣＳＩなしのＰＵＳＣＨ伝送、
サウンディングリファレンスシグナル（Ｓｏｕｎｄｉｎｇ  Ｒｅｆｅｒｅｎｃｅ  Ｓｉｇｎａｌ、ＳＲＳ）伝送（非周期的ＳＲＳが半永続的または周期的ＳＲＳよりも優先度が高い）、または非ＰＣｅｌｌサービングセルでのＰＲＡＣＨ伝送。
【００２１】
本開示の実施形態は、伝送方法を提供する。図１を参照する。図１は、本開示の一実施形態に適用可能なネットワークシステムの構造図である。図１に示すように、端末装置１１およびネットワーク側装置１２を備える。端末装置１１は、携帯電話またはタブレットコンピュータ（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナルデジタルアシスタント（Ｐｅｒｓｏｎａｌ  Ｄｉｇｉｔａｌ  Ａｓｓｉｓｔａｎｔ、ＰＤＡと略称）、モバイルインターネットデバイス（Ｍｏｂｉｌｅ  Ｉｎｔｅｒｎｅｔ  Ｄｅｖｉｃｅ、ＭＩＤ）、或いはウェアラブルデバイス（Ｗｅａｒａｂｌｅ  Ｄｅｖｉｃｅ）などの端末装置であってもよいが、本開示の実施形態では、端末装置１１の種類が限定されないことに留意されたい。ネットワーク側装置１２は、例えば、マクロステーション、ＬＴＥｅＮＢ、５ＧＮＲＮＢ、ｇＮＢなどのような基地局であってもよい。ネットワーク側装置１２はまた、低電力ノード（Ｌｏｗ  Ｐｏｗｅｒ  Ｎｏｄｅ、ＬＰＮ）ｐｉｃｏ、ｆｅｍｔｏなどのような小さなステーションであってもよい。またはネットワーク側装置１２は、アクセスポイント（Ａｃｃｅｓｓ  Ｐｏｉｎｔ、ＡＰ）であってもよい。基地局はまた、中央ユニット（Ｃｅｎｔｒａｌ  Ｕｎｉｔ、ＣＵ）およびそれによって管理および制御される複数の送信受信ポイント（Ｔｒａｎｓｍｉｓｓｉｏｎ  Ｒｅｃｅｐｔｉｏｎ  Ｐｏｉｎｔ、ＴＲＰ）から構成されるネットワークノードであってもよい。本開示の実施形態では、ネットワーク側装置１２の種類が限定されないことに留意されたい。
【００２２】
本開示の実施形態では、端末装置１１は、Ｎ個の上りチャネルでの送信をトリガーし、上記のＮ個の上りチャネルで同時に送信できるかどうかを判断することができる。ここで、Ｎは１より大きい整数である。上記のＮ個の上りチャネルは、ＰＵＣＣＨ、ＰＵＳＣＨ、ＳＲＳ、およびＰＲＡＣＨのうちの１つまたは少なくとも２つを含んでもよく、各タイプの上りチャネルの数は、１つまたは少なくとも２つであってもよい。例えば、上記のＮ個の上りチャネルは、２つのＰＵＣＣＨ、１つのＰＵＳＣＨ、および２つのＰＲＡＣＨなどを含んでもよい。
【００２３】
一実施形態では、端末装置１１は、上記のＮ個の上りチャネルで同時に送信できないと判断した場合、Ｎ個の上りチャネルから一部の上りチャネルを直接決定し、決定された一部の上りチャネルでの送信を放棄してもよい。例えば、上記のＮ個の上りチャネルから放棄する必要がある一部の上りチャネルをランダムに選択してもよい。この実施形態はまた、優先度以外のチャネル選択パラメータに基づいて、送信の必要がある一部の上りチャネルを決定するか、または放棄する必要がある一部の上りチャネルを決定することができることは理解できる。
【００２４】
別の実施形態では、端末装置１１は、Ｎ個の上りチャネルのうちの各上りチャネルに対応する優先度決定パラメータに従って、各上りチャネルにそれぞれ対応する優先度を決定し、各上りチャネルの優先度に従ってＮ個の上りチャネルのうち、少なくとも一部の上りチャネルで送信してもよい。たとえば、優先度の上位Ｍ個の上りチャネルで送信する。ここで、Ｍは、端末装置１１が同時に送信できる上りチャネルの数である。
【００２５】
ここで、上記の上りチャネルに対応する優先度決定パラメータは、少なくとも上りチャネルに対応するサービス情報を含んでもよい。ここで、上りチャネルに対応するサービス情報は、上りチャネルに含まれるデータに対応するサービスタイプ情報および上りチャネルでの送信をトリガーするのに対応するサービスタイプ情報のうちの少なくとも１つを含んでもよい。
【００２６】
オプションで、上記の上りチャネルに対応する優先度決定パラメータは、同時に送信できない上りチャネルに関する情報を示すための第１の情報をさらに含んでもよい。ここで、第１の情報は、チャネル識別情報、Ｎ個の上りチャネルで同時に送信できない理由を示すための第２の情報、物理層によって決定されるチャネル送信優先度、および同時に送信できる上りチャネルの数などのうちの少なくとも１つを含んでもよい。
【００２７】
オプションで、ネットワーク側装置１２は、第１の対応関係を端末装置１１に送信することができ、前記第１の対応関係は、上りチャネルに対応するサービス情報と上りチャネルに対応する優先度との間の対応関係である。したがって、端末装置１１は、第１の対応および各上りチャネルに対応するサービス情報に基づいて、各上りチャネルに対応する優先度を決定することができる。
【００２８】
なお、Ｎ個の上りチャネルで同時に送信することができる場合、端末装置１１は、上記のＮ個の上りチャネルで同時に送信してもよい。
【００２９】
それに応じて、ネットワーク側装置１２は、端末装置１１による上りチャネルでの送信を受信することができる。
【００３０】
本開示の実施形態において、Ｎ個の上りチャネルで同時に送信できない場合、各上りチャネルに対応するサービス情報に従って各上りチャネルの優先度を決定することができ、各チャネルの優先度に基づいて上りチャネルでの送信を行うことができるので、上りチャネル送信の柔軟性を向上させる。
【００３１】
本開示の実施形態は、端末装置のための伝送方法を提供する。図２を参照する。図２は、本開示の一実施形態によって提供される伝送方法のフローチャートである。図２に示されるように、以下のステップを含む。
【００３２】
ステップ２０１：送信すべきＮ個の上りチャネルで同時に送信できないと判断した場合、Ｎ個の上りチャネルの各上りチャネルに対応する優先度に従って、前記Ｎ個の上りチャネルのうちの少なくとも一部の上りチャネルで送信する。
【００３３】
ここで、Ｎは１より大きい整数であり、前記上りチャネルに対応する優先度は、前記上りチャネルに対応する優先度決定パラメータに基づいて決定され、前記優先度決定パラメータは、少なくとも前記上りチャネルに対応するサービス情報を含む。
【００３４】
本開示の実施形態では、端末装置（例えば、端末装置の媒体アクセス制御（Ｍｅｄｉｕｍ  Ａｃｃｅｓｓ  Ｃｏｎｔｒｏｌ、ＭＡＣ）層または物理層（すなわちＰｈｙ層））は、Ｎ個の上りチャネルでの送信をトリガーした後、上記のＮ個の上りチャネルは同時に送信できるかを判断してもよい。たとえば、端末装置は、Ｎ個の上りチャネルの各上りチャネルの送信電力、各上りチャネルの物理リソースが占有されているかどうかなどに基づいて、上記のＮ個の上りチャネルで同時に送信できるかどうかを判断してもよい。
【００３５】
上記のＮ個の上り信号の同時送信は、上記のＮ個の上り信号の送信が時間的に重複することを意味してもよいことに留意されたい。たとえば、上りチャネル１での送信時間は［ｔ１、ｔ２］であり、上りチャネル２での送信時間は［ｔ３、ｔ４］である。ここで、ｔ２はｔ３より大きく、かつｔ４以下であり、つまり［ｔ１、ｔ２］と［ｔ３、ｔ４］とは重複する部分がある。
【００３６】
このステップでは、送信すべきＮ個の上りチャネルで同時に送信できないと判断した場合、上記Ｎ個の上りチャネルのそれぞれに対応する優先度決定パラメータに従って、各上りチャネルに対応する優先度をそれぞれ決定することができ、各上りチャネルに対応する優先度に従って、上記Ｎ個の上りチャネルのうち少なくとも一部の上りチャネルで送信してもよい。ここで、上記の上りチャネルに対応する優先度決定パラメータは、少なくとも上りチャネルに対応するサービス情報を含んでもよい。
【００３７】
たとえば、Ｎ個の上りチャネルの各上りチャネルに対応するサービス情報に従って、各上りチャネルに対応する優先度をそれぞれ決定し（たとえば、ＰＵＳＣＨに論理チャネル優先度が１であるデータが含まれている場合、当該ＰＵＳＣＨの優先度は１であると決定されるが、ＰＵＣＣＨのＳＲトリガー条件は論理チャネル優先度が２であるデータトリガーである場合、当該ＰＵＣＣＨの優先度が２であると決定される）、優先度の上位Ｍ個の上りチャネルで送信する。ここで、Ｍは端末装置が同時に送信できる上りチャネルの数である。
【００３８】
本開示の実施形態により提供される送信方法によれば、送信すべきＮ個の上りチャネルで同時に送信できないと判断した場合、前記Ｎ個の上りチャネルのそれぞれに対応する優先度に従って、前記Ｎ個の上りチャネル上りチャネルのうちの少なくとも一部の上りチャネルで送信する。ここで、Ｎが１より大きい整数であり、前記上りチャネルに対応する優先度は、前記上りチャネルに対応する優先度決定パラメータに基づいて決定され、前記優先度決定パラメータは、少なくとも上りチャネルに対応するサービス情報を含む。本開示の実施形態は、各上りチャネルに対応するサービス情報に従って各上りチャネルの優先度をそれぞれ決定し、各チャネルの優先度に基づいて上りチャネルでの送信を行うことで、関連技術においてプロトコルで規定された各チャネルの優先度に従って上りチャネルでの送信を行うことにより、上りチャネル送信の柔軟性を向上させる。また、各上りチャネルの優先度は、各上りチャネルに対応するサービス情報を考慮して決定されるため、上りチャネルでの送信をサービス需要により適合させることができる。
【００３９】
オプションで、前記上りチャネルに対応するサービス情報には、
前記上りチャネルに含まれるデータに対応するサービスタイプ情報、
前記上りチャネルでの送信をトリガーするのに対応するサービスタイプ情報、の少なくとも１つが含まれる。
【００４０】
本開示の実施形態において、上りチャネルに対応するサービス情報は、上りチャネルに含まれるデータに対応するサービスタイプ情報を含んでもよい。例えば、上りチャネルがＰＵＳＣＨまたはＰＵＣＣＨである場合、当該上りチャネルに対応するサービス情報は、当該上りチャネルに含まれるデータに対応するサービスタイプ情報であってもよい。上りチャネルに対応するサービス情報は、上りチャネルでの送信をトリガーするのに対応するサービスタイプ情報を含んでもよい。例えば、上りチャネルがＰＲＡＣＨまたはＳＲＳチャネルである場合、当該上りチャネルに対応するサービス情報は、当該上りチャネルでの送信をトリガーするのに対応するサービスタイプ情報であってもよい。
【００４１】
オプションで、前記上りチャネルに物理上り共有チャネルＰＵＳＣＨが含まれる場合、前記ＰＵＳＣＨに含まれるデータに対応するサービスタイプ情報には、前記ＰＵＳＣＨに含まれるデータの論理チャネルに対応する情報、媒体アクセス制御制御ユニットＭＡＣ  ＣＥタイプ、媒体アクセス制御制御ユニットＭＡＣ  ＣＥの優先度の少なくとも１つが含まれる、および／または、
前記上りチャネルに物理上り制御チャネルＰＵＣＣＨが含まれる場合、前記ＰＵＣＣＨに含まれるデータに対応するサービスタイプ情報には、データタイプ、データタイプに対応するサービス情報、の少なくとも１つが含まれる、
および／または、
前記上りチャネルに物理ランダムアクセスチャネルＰＲＡＣＨが含まれる場合、前記ＰＲＡＣＨ送信をトリガーするのに対応するサービスタイプ情報には、前記ＰＲＡＣＨ送信をトリガーするトリガーイベントのタイプ、前記ＰＲＡＣＨ送信の論理チャネルをトリガーするのに対応する情報、の少なくとも１つが含まれる、
および／または、
前記上りチャネルにサウンディングリファレンス信号ＳＲＳチャネルが含まれる場合、前記ＳＲＳ送信をトリガーするサービスタイプ情報には、前記ＳＲＳ送信をトリガーするトリガーイベントのタイプが含まれる。
【００４２】
本開示の実施形態において、上りチャネルがＰＵＣＣＨを含む場合、上りチャネルに対応するサービス情報は、ＰＵＳＣＨに含まれるデータに対応するサービスタイプ情報を含んでもよい。ここで、ＰＵＳＣＨに含まれるデータに対応するサービスタイプ情報は、ＰＵＳＣＨに含まれるデータの論理チャネルに対応する情報、ＭＡＣ制御要素（Ｃｏｎｔｒｏｌ  Ｅｌｅｍｅｎｔ、ＣＥ）タイプ、およびＭＡＣ  ＣＥの優先度など、の少なくとも１つが含まれるが、これらに限定されない。ここで、上述のＰＵＳＣＨに含まれるデータの論理チャネルに対応する情報には、論理チャネル識別子、論理チャネルの優先度、論理チャネルに対応するセル、論理チャネルに対応するセルグループ、論理チャネルに対応するデータタイプ、および論理チャネルに対応する制御シグナリングタイプの少なくとも１つが含まれるが、これらに限定されない。上記のＭＡＣ  ＣＥタイプには、バッファステータスレポート（Ｂｕｆｆｅｒ  Ｓｔａｔｕｓ  Ｒｅｐｏｒｔ、ＢＳＲ）またはパワーヘッドルームレポート（Ｐｏｗｅｒ  Ｈｅａｄｒｏｏｍ  Ｒｅｐｏｒｔ、ＰＨＲ）が含まれるが、これらに限定されない。上記のＭＡＣ  ＣＥの優先度、たとえば、セル無線ネットワーク一時識別子（Ｃｅｌｌ  Ｒａｄｉｏ  Ｎｅｔｗｏｒｋ  Ｔｅｍｐｏｒａｒｙ  Ｉｄｅｎｔｉｆｉｅｒ、Ｃ−ＲＮＴＩ）ＭＡＣ  ＣＥの優先度が最も高くなる。
【００４３】
上りチャネルがＰＵＣＣＨを含む場合、上りチャネルに対応するサービス情報は、ＰＵＣＣＨに含まれるデータに対応するサービスタイプ情報を含んでもよい。ここで、ＰＵＣＣＨに含まれるデータに対応するサービスタイプ情報は、データタイプおよびデータタイプに対応するビジネス情報などの少なくとも１つを含んでもよいが、これらに限定されない。ここで、上記のデータタイプには、ＳＲ、ＨＡＲＱフィードバック、またはＣＳＩレポートが含まれるが、これらに限定されない。上記のデータタイプに対応するサービス情報は、ＰＵＣＣＨに含まれるデータタイプに対応するサービス情報であってもよい。たとえば、ＰＵＣＣＨにＳＲが含まれる場合、上記のデータタイプに対応するサービス情報には、ＳＲに対応するサービス情報（たとえば、ＳＲ送信をトリガーする論理チャネルは情報）が含まれる。
【００４４】
オプションで、前記データタイプにスケジューリング要求ＳＲが含まれる場合、前記データタイプに対応するサービス情報には、前記ＳＲの送信の論理チャネルをトリガーするのに対応する情報が含まれてもよい、および／または、
前記データタイプにハイブリッド自動リピート要求ＨＡＲＱフィードバックが含まれる場合、前記データタイプに対応するサービス情報には、前記ＨＡＲＱ送信の論理チャネルをトリガーするのに対応する情報が含まれてもよい、
および／または、
前記データタイプにチャネル状態情報ＣＳＩレポートが含まれる場合、前記データタイプに対応するサービス情報には、前記ＣＳＩレポートをトリガーするトリガータイプが含まれてもよい。
【００４５】
本開示の実施形態では、前記ＳＲ送信の論理チャネルをトリガーするのに対応する情報、または前記ＨＡＲＱ送信の論理チャネルをトリガーするのに対応する情報は、論理チャネル識別子、論理チャネルの優先度、論理チャネルに対応するセル、論理チャネルに対応するセルグループ、論理チャネルに対応するデータタイプ、および論理チャネルに対応する制御シグナリングタイプの少なくとも１つが含まれるが、これらに限定されない。前記ＣＳＩレポートをトリガーするトリガータイプには、周期的レポート、非周期的レポート、または半永続レポートが含まれてもよい。
【００４６】
上りチャネルにＰＲＡＣＨが含まれる場合、上りチャネルに対応するサービス情報には、前記ＰＲＡＣＨ送信をトリガーするのに対応するサービスタイプ情報が含まれてもよい。ここで、前記ＰＲＡＣＨ送信をトリガーするのに対応するサービスタイプ情報には、前記ＰＲＡＣＨ送信をトリガーするトリガーイベントのタイプと、前記ＰＲＡＣＨの送信の論理チャネルをトリガーするのに対応する情報の少なくとも１つが含まれてもよい。  
【００４７】
オプションで、前記ＰＲＡＣＨ送信をトリガーするトリガーイベントのタイプには、
無線リソース制御ＲＲＣのアイドル状態または非アクティブ状態の初期アクセス、
無線リソース制御ＲＲＣの非アクティブ状態遷移、
無線リソース制御ＲＲＣの接続の再確立、
スイッチング、
プライマリセルとセカンダリセルの追加または変更、
無線リソース制御ＲＲＣの接続状態での下りデータ到着または上りデータ到着、かつ上り同期の状態が非同期状態にあること、
セカンダリセルの上りタイミングを確立すること、
システム情報の要求、
ビーム障害からの回復、の少なくとも１つを含んでもよい。
【００４８】
本開示の実施形態では、上記の無線リソース制御（Ｒａｄｉｏ  Ｒｅｓｏｕｒｃｅ  Ｃｏｎｔｒｏｌ、ＲＲＣ）非アクティブ状態の状態遷移、例えば、ＲＲＣ非アクティブ状態からＲＲＣ接続状態への遷移。
【００４９】
上りチャネルにＳＲＳチャネルが含まれる場合、上りチャネルに対応するサービス情報には、前記ＳＲＳ送信をトリガーするサービスタイプ情報が含まれ、ここで、前記ＳＲＳ送信をトリガーするサービスタイプ情報には、前記ＳＲＳ送信をトリガーするトリガーイベントのタイプが含まれてもよい。前記ＳＲＳ送信をトリガーするトリガーイベントのタイプには、周期的送信、非周期的送信、および半永続送信などの少なくとも１つが含まれてもよい。
【００５０】
オプションで、前記論理チャネルに対応する情報には、
論理チャネル識別子、
論理チャネルの優先度、
論理チャネルに対応するセル、
論理チャネルに対応するセルグループ、
論理チャネルに対応するデータタイプ、
論理チャネルに対応する制御シグナリングタイプ、の少なくとも１つを含む。
【００５１】
本開示の実施形態において、上記の論理チャネルに対応する情報は、ＰＵＳＣＨに含まれるデータの論理チャネルに対応する情報、前記ＰＲＡＣＨ送信の論理チャネルをトリガーするのに対応する情報、前記ＳＲ送信の論理チャネルをトリガーするのに対応する情報、または前記ＨＡＲＱ送信の論理チャネルをトリガーするのに対応する情報であってもよい。上記の論理チャネル識別子は、たとえば、論理チャネル１、論理チャネル２などである。上記の論理チャネルの優先度は、たとえば、論理チャネル優先度１である。上記の論理チャネルに対応するセルグループは、例えば、マスターセルグループ（Ｍａｓｔｅｒ  Ｃｅｌｌ  Ｇｒｏｕｐ、ＭＣＧ）またはセカンダリセルグループ（Ｓｅｃｏｎｄａｒｙ  Ｃｅｌｌ  Ｇｒｏｕｐ、ＳＣＧ）などである。上記の論理チャネルに対応するデータタイプは、たとえば、ＲＲＣシグナリングまたは通常のデータ（たとえば、専用トラフィックチャネル（Ｄｅｄｉｃａｔｅｄ  Ｔｒａｆｆｉｃ  Ｃｈａｎｎｅｌ、ＤＴＣＨ）に対応するデータ）などである。上記の論理チャネルに対応する制御シグナリングタイプは、例えば、共通制御チャネル（Ｃｏｍｍｏｎ  Ｃｏｎｔｒｏｌ  Ｃｈａｎｎｅｌ、ＣＣＣＨ）制御シグナリングまたは専用制御チャネル（Ｄｅｄｉｃａｔｅｄ  Ｃｏｎｔｒｏｌ  Ｃｈａｎｎｅｌ、ＤＣＣＨ）制御シグナリングなどである。
【００５２】
オプションで、前記上りチャネルに異なるサービスタイプ情報に対応する少なくとも２つのデータが含まれる場合、前記上りチャネルに対応するサービス情報は、前記少なくとも２つのデータの優先度に基づき、前記少なくとも２つのデータ対応するサービス情報から決定される。
【００５３】
本開示の実施形態において、ある上りチャネルが異なるサービスタイプ情報に対応する少なくとも２つのデータを含む場合、前記少なくとも２つのデータの優先度に従って、当該上りチャネルに対応するサービス情報を決定してもよい。例えば、当該上りチャネルに含まれる２つのデータのうち、優先度が最も高いまたは最も低いデータを、当該上りチャネルに対応するサービス情報として決定する。
【００５４】
たとえば、ＰＵＳＣＨに論理チャネル優先度１と論理チャネル優先度２との２つのデータトラフィックチャネルのデータが含まれる場合、端末装置は論理チャネル優先度１を当該ＰＵＳＣＨに対応するサービス情報としてもよい。ＰＵＣＣＨに論理チャネル優先度１のＨＡＲＱフィードバックと論理チャネル優先度２のＨＡＲＱフィードバックが含まれる場合、端末装置は、論理チャネル優先度１を当該ＰＵＣＣＨに対応するサービス情報としてもよい。
【００５５】
本開示の実施形態は、プロトコルによって事前に定義するまたはネットワーク側で設定することで、上りチャネルに含まれる２つのデータのうち、もっとも高いまたはもっとも低い優先度を有するデータに対応するサービスタイプ情報を、当該上りチャネルに対応するサービス情報として決定することに留意されたい。
【００５６】
オプションで、前記上りチャネルに対応する優先度は、第１の対応関係および前記上りチャネルに対応するサービス情報に従って決定される。ここで、前記第１の対応関係は、上りチャネルに対応するサービス情報と上りチャネルに対応する優先度の間の対応関係である。
【００５７】
本開示の実施形態において、上記の第１の対応関係は、プロトコルによって事前に定義されてもよいか、またはネットワーク側で設定されてもよい。具体的には、端末装置は、Ｎ個の上りチャネルのそれぞれに対応するサービス情報に従って、第１の対応関係から対応する優先度をそれぞれ検索し、各上りチャネルに対応する優先度とすることができる。例えば、上りチャネル１に対応するサービス情報によって、第１の対応から当該サービス情報に対応する優先度を検索し、上りチャネル１に対応する優先度とするが、上りチャネル２に対応するサービス情報によって、第１の対応から当該サービス情報に対応する優先度を検索し、上りチャネル２に対応する優先度とする。
【００５８】
本開示の実施形態は、第１の対応関係および上りチャネルに対応するサービス情報に従って上りチャネルに対応する優先度を決定することで、上りチャネルに対応する優先度を決定する効率を改善し、上りチャネル送信の効率をさらに改善することができる。
【００５９】
オプションで、第１の対応関係はプロトコルによって事前定義してもよい。
【００６０】
オプションで、前記方法にはさらに、
ネットワーク側装置から送信される第１の対応関係を受信することを含む。
【００６１】
本開示の実施形態では、プロトコルによって第１の対応関係が事前定義されることと比べ、ネットワーク側装置によって送信される第１の対応関係を受信することは、上りチャネルに対応するサービス情報と上りチャネルに対応する優先度との間の対応関係の設定の柔軟性を改善することができる。
【００６２】
オプションで、前記Ｎ個の上りチャネル間の各上りチャネルに対応する優先度に従って、前記Ｎ個の上りチャネルのうち、少なくとも一部の上りチャネルで送信することは、
前記Ｎ個の上りチャネルのそれぞれに対応する優先度が同じである場合、前記Ｎ個の上りチャネルから、Ｍ個の上りチャネルをランダムに選択して送信することを含み、Ｍは同時に送信できる上りチャネルの数である。
【００６３】
たとえば、ＰＵＳＣＨ＃１、ＰＵＳＣＨ＃２、およびＰＵＳＣＨ＃３に対応する優先が同じであると判断し（たとえば、ＰＵＳＣＨ＃１、ＰＵＳＣＨ＃２、およびＰＵＳＣＨ＃３に含まれるデータに対応する論理チャネルの優先度が同じである場合）、同時に送信できる上りチャネルの数は２である場合、端末装置は、ＰＵＳＣＨ＃１、ＰＵＳＣＨ＃２、およびＰＵＳＣＨ＃３から２つの上りチャネルをランダムに選択して送信する。
【００６４】
本開示の実施形態では、Ｎ個の上りチャネルのそれぞれに対応する優先度が同じである場合、Ｎ個の上りチャネルからＭ個の上りチャネルがランダムに選択して送信することで、各上りチャネルに対応する優先度が同じである場合の上りチャネルでの送信を保証でき、上りチャネル送信の柔軟性を向上させる。
【００６５】
オプションで、前記優先度決定パラメータはさらに第１の情報を含み、前記第１の情報は、同時に送信できない上りチャネル情報を示すためである。
【００６６】
本開示の実施形態において、第１の情報は、同時に送信できない上りチャネルに関する情報を示すためである。例えば、第１の情報は、チャネル識別情報、物理層によって決定されるチャネル送信優先度、前記Ｎ個の上りチャネルで同時に送信できない理由を示す情報、および同時に送信できる上りチャネルの数のうちの少なくとも１つを含んでもよいが、これらに限定されない。  
【００６７】
実際の応用では、端末装置は、第１の情報と上りチャネルに対応するサービス情報とを組み合わせて、上りチャネルに対応する優先度を決定することができる。たとえば、物理層は、ＰＵＳＣＨ＃１の優先度（たとえば、ＰＣｅｌｌのＰＵＳＣＨ）がＰＵＳＣＨ＃２の優先度（たとえば、ＳＣｅｌｌのＰＵＳＣＨ）よりも高いことを指示し、上りチャネルに対応するサービス情報に従って決定されるＰＵＳＣＨ＃１およびＰＵＳＣＨ＃２の優先度が同じである場合（たとえば、２つに含まれるデータに対応する論理チャネルの優先度が同じである場合）、ＰＵＳＣＨ＃１はＰＵＳＣＨ＃２よりも優先度が高いと決定し、つまり、ＰＵＳＣＨ＃１の送信は優先になる。
【００６８】
本開示の実施形態において、上りチャネルで送信する場合、上りチャネルに対応するサービス情報に従って決定される上りチャネルに対応する優先度が優先的に考量されることに留意されたい。すなわち、各上りチャネルに対応するサービス情報に従って決定される各上りチャネルに対応する優先度が異なる場合、各上りチャネルに対応するサービス情報に従って決定される各上りチャネルに対応する優先度に従って、上りチャネルでの送信を直接行うことができるが、各上りチャネルに対応するサービス情報に従って決定される各上りチャネルに対応する優先度が同じである場合、上記の第１の情報とさらに組み合わせて上りチャネルでの送信を行うことができる。
【００６９】
オプションで、第１の情報は、
チャネルの識別情報、
前記Ｎ個の上りチャネルで同時に送信できない理由を示すための第２の情報、
物理層によって決定されるチャネル送信優先度、
同時に送信できる上りチャネルの数、の少なくとも１つを含む。
【００７０】
本開示の実施形態において、上記のチャネルの識別情報は、チャネルタイプ、チャネルが属するセルの識別子、チャネルが属するセルグループの識別子、チャネルが属するセルタイプの識別子、およびチャネルが属するアップリンクキャリアの識別子のうちの少なくとも１つを含んでもよいが、これらに限定されない。
【００７１】
上記の第２の情報は、Ｎ個の上りチャネルで同時に送信できない理由を示すための情報である。たとえば、送信電力が前記端末装置が許容する最大送信電力を超えていることを示すための情報、送信条件の制限のために同時に送信できないことを示すための情報、上りチャネルの物理リソースが占有されていることを示すための情報などである。
【００７２】
上記の物理層によって決定されるチャネル送信優先度は、プロトコルによって規定される物理層の上りチャネルの送信優先度に基づいて決定される優先度であってもよい。ここで、プロトコルによって規定される物理層の上りチャネルの送信優先度については、前述の説明を参照されてよく、ここで繰り返さない。
【００７３】
オプションで、前記チャネルの識別情報は、
チャネルタイプ、
チャネルが属するセルの識別子、
チャネルが属するセルグループの識別子、
チャネルが属するセルタイプの識別、
チャネルが属するアップリンクキャリア識別子、うちの少なくとも１つを含む、
および／または、
前記第２の情報は、
送信電力が前記端末装置が許容する最大送信電力を超えていることを示すための情報、
送信条件の制限のために同時に送信できないことを示すための情報、
上りチャネルの物理リソースが占有されていることを示すための情報、のうちの少なくとも１つを含む。
【００７４】
本開示の実施形態において、上記のチャネルタイプは、ＰＵＣＣＨ、ＰＵＳＣＨ、ＳＲＳ、またはＰＲＡＣＨなどを含んでもよいが、これらに限定されない。上記のチャネルが属するセルの識別子は、たとえば、サービングセル１である。上記のチャネルが属するセルグループ識別子は、たとえば、ＭＣＧまたはＳＣＧである。上記のチャネルが属するセルタイプの識別子は、たとえば、プライマリセル（Ｐｒｉｍａｒｙ  Ｃｅｌｌ、ＰＣｅｌｌ）、セカンダリセル（Ｓｅｃｏｎｄａｒｙ  Ｃｅｌｌ、ＳＣｅｌｌ）、プライマリセカンダリセル（Ｐｒｉｍａｒｙ  Ｓｅｃｏｎｄａｒｙ  Ｃｅｌｌ、ＰＳＣｅｌｌ）、特殊セル（Ｓｐｅｃｉａｌ  Ｃｅｌｌ、ＳｐＣｅｌｌ）、またはＰＵＣＣＨ  ＳＣｅｌｌなどである。上記のチャネルが属するアップリンクキャリアの識別子は、たとえば、補助アップリンク（Ｓｕｐｐｌｅｍｅｎｔａｒｙ  Ｕｐｌｉｎｋ、ＳＵＬ）や通常アップリンク（Ｎｏｒｍａｌ  Ｕｐｌｉｎｋ、ＮＵＬ）などである。
【００７５】
上記の送信電力は、端末装置が許容する最大送信電力を超えることは、例えば、端末装置は、各上りチャネルの送信電力を指示することができ、Ｎ個の上りチャネルが同時に送信するときの上り送信電力の合計は、端末装置が許可する最大送信電力を超えることである。上記の送信条件の制限のために、同時に送信できないことは、たとえば、ＰＲＡＣＨとＰＵＣＣＨは同時にコーディングできないために、１つのセルでＰＲＡＣＨとＰＵＣＣＨを同時に送信することはできない。上記の上りチャネルの物理リソースは占有されることは、たとえば、物理リソースは他の端末装置によって占有されるか、物理リソースは当該端末装置の他のチャネル（つまり、上記のＮチャネル以外のチャネル）によって事前に占有される。
【００７６】
オプションで、前記Ｎ個の上りチャネル間の各上りチャネルに対応する優先度に従って、前記Ｎ個の上りチャネルのうち、少なくとも一部の上りチャネルで送信する前に、前記方法はさらに、
前記端末装置の物理層は、媒体アクセス制御ＭＡＣ層に第１の情報を指示することを含む。
【００７７】
本開示の実施形態では、Ｎ個の上りチャネルのそれぞれに対応する優先度は、ＭＡＣ層を介して決定することができる。具体的には、Ｎ個の上りチャネルで同時に送信できないと判断した場合、物理層は、上記の第１の情報をＭＡＣ層に指示することができる。したがって、ＭＡＣ層は、第１の情報と各上りチャネルに対応するサービス情報に従って、各上りチャネルに対応する優先度を決定できる。
【００７８】
オプションで、前記Ｎ個の上りチャネル間の各上りチャネルに対応する優先度に従って、前記Ｎ個の上りチャネルのうち、少なくとも一部の上りチャネルで送信する前に、前記方法はさらに、
ＭＡＣ層は、前記第１の情報と前記Ｎ個の上りチャネルの各上りチャネルに対応するサービス情報に従って、前記Ｎ個の上りチャネルの各上りチャネルに対応する優先度を決定する。
【００７９】
本開示の実施形態では、ＭＡＣ層は、各上りチャネルに対応するサービス情報を直接獲得できるので、前記ＭＡＣ層は、前記第１の情報および前記Ｎ個の上りチャネルの各上りチャネルに対応するサービス情報によって、前記Ｎ個の上りチャネルのそれぞれに対応する優先度を決定することで、端末装置のレイヤー間のデータ送信を減らし、リソースを節約できる。
【００８０】
オプションで、ＭＡＣ層は、前記第１の情報と前記Ｎ個の上りチャネルのそれぞれに対応するサービス情報に従って、前記Ｎ個の上りチャネルのそれぞれに対応する優先度に基づき、前記Ｎ個の上りチャネルのうち、各上りチャネルに対応する優先度を決定し、送信する必要のある上りチャネルを決定して物理層に指示し、物理層を通して対応する上りチャネルでの送信を行う。
【００８１】
オプションで、前記Ｎ個の上りチャネル間の各上りチャネルに対応する優先度に従って、前記Ｎ個の上りチャネルのうち、少なくとも一部の上りチャネルで送信する前に、前記方法はさらに、
前記端末装置の媒体アクセス制御ＭＡＣ層は、前記Ｎ個の上りチャネルのそれぞれに対応するサービス情報を物理層に指示することと、
前記物理層は、前記Ｎ個の上りチャネルの各上りチャネルに対応するサービス情報に従って、前記Ｎ個の上りチャネルの各上りチャネルに対応する優先度を決定することとを含む。
【００８２】
本開示の実施形態では、物理層を通してＮ個の上りチャネルのそれぞれに対応する優先度を決定することができる。具体的には、ＭＡＣ層は、Ｎ個の上りチャネルでの送信をトリガーした場合、前記Ｎ個の上りチャネル内の各上りチャネルに対応するサービス情報を物理層に指示してもよい。Ｎ個の上りチャネルで同時に送信できないと判断した場合、物理層は、前記Ｎ個の上りチャネルの各上りチャネルに対応するサービス情報に従って、前記Ｎ個の上りチャネルの各上りチャネルに対応する優先度を決定できる。
【００８３】
さらに、物理層は、前記Ｎ個の上りチャネルのそれぞれに対応するサービス情報に従って、前記Ｎ個の上りチャネルのそれぞれに対応する優先度を決定した後、Ｎ個の上りチャネルのそれぞれの上りチャネルに対応する優先度に基づき、送信する必要のある上りチャネルを決定し、送信する。
【００８４】
物理層は、第１の情報および前記Ｎ個の上りチャネルのうちの各上りチャネルに対応するサービス情報を組み合わせて、前記Ｎ個の上りチャネルのうちの各上りチャネルに対応する優先度を決定することもできることに留意されたい。例えば、それぞれの上りチャネルに対応するサービス情報に従って決定されたそれぞれの上りチャネルに対応する優先度が同じである場合、第１の情報とさらに組み合わされて上りチャネルで送信を行う。
【００８５】
本開示の実施形態では、物理層は前記Ｎ個の上りチャネルのそれぞれに対応するサービス情報に従って、前記Ｎ個の上りチャネルのそれぞれに対応する優先度を決定することで、物理層は前記Ｎ個の上りチャネルの各上りチャネルに対応する優先度に基づき、送信する必要のある上りチャネルを直接に決定して送信する。ＭＡＣ層を通して送信する必要のある上りチャネルを指示することと比較して、上りチャネルの送信効率を向上させることができる。
【００８６】
本開示の実施形態によって提供される伝送方法は、特定の実例を参照して以下に説明される。
【００８７】
実例１：ＭＡＣ層を通して最終的に送信できる上りチャネルを決定する
【００８８】
図３を参照する。本開示の実施形態によって提供される伝送方法は、以下のステップを含む。
【００８９】
ステップ３０１：ＭＡＣ層は、複数の上りチャネルの送信をトリガーする。
【００９０】
ここで、上記の複数の送信すべき上りチャネルには、
ＰＵＣＣＨ（複数のＰＵＣＣＨであってもよい）、
ＰＵＳＣＨ（複数のＰＵＳＣＨであってもよい）、
ＳＲＳ（複数のＳＲＳであってもよい）、
ＰＲＡＣＨ（複数のＰＲＡＣＨであってもよい）、の１つまたは複数の任意の組み合わせが含まれる。
【００９１】
ステップ３０２：物理層は、当該複数の上りチャネルで同時に送信できるかどうかを判断し、複数の上りチャネルで同時に送信できないと判断した場合、物理層はターゲット処理を実行する。
【００９２】
このステップでは、前記ターゲット処理には次の少なくとも１つが含まれる。
１）物理層が一部の上りチャネル送信を放棄することを決定する場合、物理層は一部の上りチャネル送信を直接放棄する。さらに、物理層は、送信を放棄する上りチャネル（たとえば、セカンダリセルグループ（Ｓｅｃｏｎｄａｒｙ  Ｃｅｌｌ  Ｇｒｏｕｐ、ＳＣＧ）ＳＣｅｌｌ＿１のＰＵＳＣＨの送信を放棄する）の情報をＭＡＣ層に指示する。
２）物理層は、同時に送信できない上りチャネルの情報、つまり上記の第１の情報をＭＡＣ層に指示する。
【００９３】
上記の同時に送信できない上りチャネルの情報（つまり、第１の情報）の関連内容は、上記の関連説明を参照できることに注意されたい。繰り返しを避けるために、ここでは詳しく説明しない。
【００９４】
ステップ３０３：ＭＡＣ層は、物理層によって指示される同時に送信できない上りチャネルの情報に従って、複数の上りチャネルで同時に送信できないと決定したとき、各上りチャネルに対応するサービス情報に従って、各上りチャネルに対応する優先度をそれぞれ決定し、各上りチャネルに対応する優先度に従って、送信する必要のある上りチャネルを決定する。
【００９５】
たとえば、ＰＵＳＣＨに論理チャネル優先度が１のデータが含まれている場合、当該ＰＵＳＣＨの優先度は１であると決定されるが、ＰＵＣＣＨのＳＲトリガー条件は論理チャネル優先度が２のデータトリガーである場合、当該ＰＵＣＣＨの優先度は２であると決定される。
【００９６】
なお、各上りチャネルに対応するサービス情報に従い決定される各上りチャネルの優先度が同じである場合、上記の同時に送信できない上りチャネルの情報（すなわち、第１の情報）をさらに組み合わせて上りチャネルの送信を行ってもよい。
【００９７】
たとえば、物理層は、ＰＵＳＣＨ＃１の優先度（たとえば、ＰＣｅｌｌのＰＵＳＣＨ）がＰＵＳＣＨ＃２の優先度（たとえば、ＳＣｅｌｌのＰＵＳＣＨ）よりも高いことを指示し、上りチャネルに対応するサービス情報に従って決定されるＰＵＳＣＨ＃１およびＰＵＳＣＨ＃２の優先度が同じである場合（たとえば、２つに含まれるデータに対応する論理チャネルの優先度が同じである場合）、ＰＵＳＣＨ＃１はＰＵＳＣＨ＃２よりも優先度が高いと決定し、つまり、ＰＵＳＣＨ＃１の送信は優先になる。
【００９８】
本開示の実施形態における上りチャネルに対応するサービス情報の詳細な内容は、上記の関連する説明を参照してよく、繰り返しを回避するために、ここでは詳しく説明しないことに留意されたい。
【００９９】
ステップ３０４：ＭＡＣ層は、送信する必要のある上りチャネルを物理層に指示して送信させる。
【０１００】
本開示の実施形態では、前記ＭＡＣ層を通して、前記Ｎ個の上りチャネルのそれぞれに対応する優先度を決定することで、端末装置のレイヤー間のデータの伝送を減らし、リソースを節約できる。また、端末装置は複数の上りチャネルで同時に送信できない場合、チャネルのサービス情報に基づいてどのチャネルで送信できるかを決定できるため、サービス優先度のより高いチャネルは正常に送信することを保証できる。
【０１０１】
実例２：物理層を通して送信できる上りチャネルを最終的に決定する
【０１０２】
図４を参照する。本開示の実施形態によって提供される伝送方法は、以下のステップを含む。
【０１０３】
ステップ４０１：ＭＡＣ層は、複数の上りチャネルの送信をトリガーし、当該複数の上りチャネルの各上りチャネルに対応するサービス情報を物理層に指示する。
【０１０４】
ＭＡＣ層は、複数の上りチャネルの送信をトリガーする場合に、当該複数の上りチャネルの各上りチャネルに対応するサービス情報を物理層にすぐに指示してもよいが、物理層は、複数の上りチャネルで同時に送信できないと決定した後、複数の上りチャネルのそれぞれに対応するサービス情報を物理層に指示してもよい。
【０１０５】
ステップ４０２：物理層は、当該複数の上りチャネルで同時に送信できるかどうかを判断する。複数の上りチャネルで同時に送信できないと判断した場合、物理層は、当該複数の上りチャネルの各上りチャネルに対応するサービス情報に従って、各上りチャネルに対応する優先度を決定する。
【０１０６】
本開示の実施形態における上りチャネルに対応するサービス情報の詳細な内容は、上記の関連する説明を参照してよく、繰り返しを回避するために、ここでは詳しく説明しないことに留意されたい。
【０１０７】
物理層は、第１の情報および前記Ｎ個の上りチャネルのうちの各上りチャネルに対応するサービス情報を組み合わせて、前記Ｎ個の上りチャネルのうちの各上りチャネルに対応する優先度を決定することもできることに留意されたい。例えば、それぞれの上りチャネルに対応するサービス情報に従って決定されたそれぞれの上りチャネルに対応する優先度が同じである場合、第１の情報とさらに組み合わされて上りチャネルで送信を行う。
【０１０８】
ステップ４０３：物理層は、各上りチャネルに対応する優先度に従って送信する必要のある上りチャネルを決定し、送信する。
【０１０９】
オプションで、各上りチャネルの優先度に従って各上りチャネルの送信順序を決定してもよい。たとえば、論理チャネル優先度１を含むＰＵＳＣＨの上りチャネル優先度は１であり、論理チャネル優先度２のデータによってトリガーされるＰＲＡＣＨの上りチャネル優先度は２であり、よって、物理層は当該ＰＵＳＣＨの送信がＰＲＡＣＨの送信よりも優先されると決定する。
【０１１０】
本開示の実施形態では、物理層は前記Ｎ個の上りチャネルのそれぞれに対応するサービス情報に従って、前記Ｎ個の上りチャネルのそれぞれに対応する優先度を決定することで、物理層は前記Ｎ個の上りチャネルの各上りチャネルに対応する優先度に基づき、送信する必要のある上りチャネルを直接に決定して送信する。ＭＡＣ層を通して送信する必要のある上りチャネルを指示することと比較して、上りチャネルの送信効率を向上させることができる。さらに、端末装置が複数の上りチャネルで同時に送信できない場合、チャネルのサービス情報に基づいてどのチャネルで送信できるかを決定することは実現されるために、サービス優先度のより高いチャネルは正常に送信することを保証できる。
【０１１１】
本開示の実施形態は、ネットワーク側装置のための伝送方法を提供する。図５を参照する。図５は、本開示の一実施形態によって提供される伝送方法のフローチャートである。図５に示されるように、以下のステップを含む。
【０１１２】
ステップ５０１：端末装置に第１の対応関係を送信する。ここで、第１の対応関係は、上りチャネルに対応するサービス情報と上りチャネルに対応する優先度との間の対応関係である。
【０１１３】
本開示の実施形態では、ネットワーク側装置は、第１の対応を端末装置に送信することができるので、端末装置は、第１の対応および上りチャネルに対応するサービス情報に従って、上りチャネルに対応する優先度を決定することができる。
【０１１４】
端末装置が上りチャネルで送信した後、ネットワーク側装置は、端末装置による上りチャネルでの送信を受信できることに留意されたい。
【０１１５】
オプションで、前記上りチャネルに対応するサービス情報には、
前記上りチャネルに含まれるデータに対応するサービスタイプ情報、
前記上りチャネルでの送信をトリガーするのに対応するサービスタイプ情報、の少なくとも１つが含まれる。
【０１１６】
オプションで、前記上りチャネルに物理上り共有チャネルＰＵＳＣＨが含まれる場合、前記ＰＵＳＣＨに含まれるデータに対応するサービスタイプ情報には、前記ＰＵＳＣＨに含まれるデータの論理チャネルに対応する情報、媒体アクセス制御制御ユニットＭＡＣ  ＣＥタイプ、媒体アクセス制御制御ユニットＭＡＣ  ＣＥの優先度の少なくとも１つが含まれる。
前記上りチャネルに物理上り制御チャネルＰＵＣＣＨが含まれる場合、前記ＰＵＣＣＨに含まれるデータに対応するサービスタイプ情報には、データタイプ、データタイプに対応するサービス情報、の少なくとも１つが含まれる、
前記上りチャネルに物理ランダムアクセスチャネルＰＲＡＣＨが含まれる場合、前記ＰＲＡＣＨ送信をトリガーするのに対応するサービスタイプ情報には、前記ＰＲＡＣＨ送信をトリガーするトリガーイベントのタイプ、前記ＰＲＡＣＨ送信の論理チャネルをトリガーするのに対応する情報、の少なくとも１つが含まれる、
前記上りチャネルにサウンディングリファレンス信号ＳＲＳチャネルが含まれる場合、前記ＳＲＳ送信をトリガーするサービスタイプ情報には、前記ＳＲＳ送信をトリガーするトリガーイベントのタイプが含まれる。
【０１１７】
オプションで、前記データタイプにスケジューリング要求ＳＲが含まれる場合、前記データタイプに対応するサービス情報には、前記ＳＲの送信の論理チャネルをトリガーするのに対応する情報が含まれる。
前記データタイプにハイブリッド自動リピート要求ＨＡＲＱフィードバックが含まれる場合、前記データタイプに対応するサービス情報には、前記ＨＡＲＱ送信の論理チャネルをトリガーするのに対応する情報が含まれる。
前記データタイプにチャネル状態情報ＣＳＩレポートが含まれる場合、前記データタイプに対応するサービス情報には、前記ＣＳＩレポートをトリガーするトリガータイプが含まれる。
【０１１８】
オプションで、前記論理チャネルに対応する情報には、
論理チャネル識別子、
論理チャネルの優先度、
論理チャネルに対応するセル、
論理チャネルに対応するセルグループ、
論理チャネルに対応するデータタイプ、
論理チャネルに対応する制御シグナリングタイプ、の少なくとも１つを含んでもよい。
【０１１９】
オプションで、前記ＰＲＡＣＨ送信をトリガーするトリガーイベントのタイプには、
無線リソース制御ＲＲＣのアイドル状態または非アクティブ状態の初期アクセス、
無線リソース制御ＲＲＣの非アクティブ状態遷移、
無線リソース制御ＲＲＣの接続の再確立、
スイッチング、
プライマリセルとセカンダリセルの追加または変更、
無線リソース制御ＲＲＣの接続状態での下りデータ到着または上りデータ到着、かつ上り同期の状態が非同期状態にあること、
セカンダリセルの上りタイミングを確立すること、
システム情報の要求、
ビーム障害からの回復、の少なくとも１つを含んでもよい。
【０１２０】
本開示の実施形態の送信方法において、ネットワーク側装置は、第１の対応を端末装置に送信することで、第１の対応関係設定の柔軟性を向上できる。ここで、前記第１の対応は、上りチャネルに対応するサービス情報と上りチャネルに対応する優先度との間の対応である。
【０１２１】
図６を参照する。図６は、本開示の一実施形態によって提供される端末装置の構造図である。図６に示されるように、端末装置６００は、送信モジュール６０１を備える。ここで、
【０１２２】
送信モジュール６０１は、送信すべきＮ個の上りチャネルで同時に送信できないと判断した場合、前記Ｎ個の上りチャネルのうち、各上りチャネルに対応する優先度に従って、前記Ｎ個の上りチャネルのうち、少なくとも一部の上りチャネルで送信するように構成される。
【０１２３】
ここで、Ｎは１より大きい整数であり、前記上りチャネルに対応する優先度は、前記上りチャネルに対応する優先度決定パラメータに基づいて決定され、前記優先度決定パラメータは、少なくとも前記上りチャネルに対応するサービス情報を含む。
【０１２４】
オプションで、前記上りチャネルに対応するサービス情報には、
前記上りチャネルに含まれるデータに対応するサービスタイプ情報、
前記上りチャネルでの送信をトリガーするのに対応するサービスタイプ情報、の少なくとも１つが含まれる。
【０１２５】
オプションで、前記上りチャネルに物理上り共有チャネルＰＵＳＣＨが含まれる場合、前記ＰＵＳＣＨに含まれるデータに対応するサービスタイプ情報には、前記ＰＵＳＣＨに含まれるデータの論理チャネルに対応する情報、媒体アクセス制御制御ユニットＭＡＣ  ＣＥタイプ、媒体アクセス制御制御ユニットＭＡＣ  ＣＥの優先度の少なくとも１つが含まれる、
および／または、
前記上りチャネルに物理上り制御チャネルＰＵＣＣＨが含まれる場合、前記ＰＵＣＣＨに含まれるデータに対応するサービスタイプ情報には、データタイプ、データタイプに対応するサービス情報、の少なくとも１つが含まれる、
および／または、
前記上りチャネルに物理ランダムアクセスチャネルＰＲＡＣＨが含まれる場合、前記ＰＲＡＣＨ送信をトリガーするのに対応するサービスタイプ情報には、前記ＰＲＡＣＨ送信をトリガーするトリガーイベントのタイプ、前記ＰＲＡＣＨ送信の論理チャネルをトリガーするのに対応する情報、の少なくとも１つが含まれる、
および／または、
前記上りチャネルにサウンディングリファレンス信号ＳＲＳチャネルが含まれる場合、前記ＳＲＳ送信をトリガーするサービスタイプ情報には、前記ＳＲＳ送信をトリガーするトリガーイベントのタイプが含まれる。
【０１２６】
オプションで、前記データタイプにスケジューリング要求ＳＲが含まれる場合、前記データタイプに対応するサービス情報には、前記ＳＲの送信の論理チャネルをトリガーするのに対応する情報が含まれる、
および／または、
データタイプにハイブリッド自動リピート要求ＨＡＲＱフィードバックが含まれている場合、データタイプに対応するサービス情報には、ＨＡＲＱ送信の論理チャネルをトリガーするのに対応する情報が含まれる、
および／または、
データタイプにチャネル状態情報ＣＳＩレポートが含まれている場合、データタイプに対応するサービス情報には、ＣＳＩレポートをトリガーするトリガータイプが含まれる。
【０１２７】
オプションで、前記論理チャネルに対応する情報には、
論理チャネル識別子、
論理チャネルの優先度、
論理チャネルに対応するセル、
論理チャネルに対応するセルグループ、
論理チャネルに対応するデータタイプ、
論理チャネルに対応する制御シグナリングタイプ、の少なくとも１つを含んでもよい。
【０１２８】
オプションで、ＰＲＡＣＨ送信をトリガーするトリガーイベントのタイプには、
無線リソース制御ＲＲＣのアイドル状態または非アクティブ状態の初期アクセス、
無線リソース制御ＲＲＣの非アクティブ状態遷移、
無線リソース制御ＲＲＣの接続の再確立、
スイッチング、
プライマリセルとセカンダリセルの追加または変更、
無線リソース制御ＲＲＣの接続状態での下りデータ到着または上りデータ到着、かつ上り同期の状態が非同期状態にあること、
セカンダリセルの上りタイミングを確立すること、
システム情報の要求、
ビーム障害からの回復、の少なくとも１つを含んでもよい。
【０１２９】
オプションで、前記上りチャネルに異なるサービスタイプ情報に対応する少なくとも２つのデータが含まれる場合、前記上りチャネルに対応するサービス情報は、前記少なくとも２つのデータの優先度に基づき、前記少なくとも２つのデータに対応するサービスタイプ情報から決定される。
【０１３０】
オプションで、前記上りチャネルに対応する優先度は、第１の対応関係および前記上りチャネルに対応するサービス情報に従って決定される。ここで、前記第１の対応関係は、上りチャネルに対応するサービス情報と上りチャネルに対応する優先度の間の対応関係である。
【０１３１】
オプションで、前記第１の対応関係はプロトコルによって事前定義される。
【０１３２】
オプションで、前記端末装置にはさらに、
ネットワーク側装置によって送信される前記第１の対応関係を受信するように構成される受信モジュールを含む。
【０１３３】
オプションで、前記Ｎ個の上りチャネルのそれぞれに対応する優先度に従って、前記Ｎ個の上りチャネルのうち、少なくとも一部の上りチャネルで送信することには、
前記Ｎ個の上りチャネルのそれぞれに対応する優先度が同じである場合、前記Ｎ個の上りチャネルから、Ｍ個の上りチャネルをランダムに選択して送信することを含み、Ｍは同時に送信できる上りチャネルの数である。
【０１３４】
オプションで、前記優先度決定パラメータはさらに第１の情報を含み、前記第１の情報は、同時に送信できない上りチャネル情報を示すためである。
【０１３５】
オプションで、第１の情報は、
チャネルの識別情報、
前記Ｎ個の上りチャネルで同時に送信できない理由を示すための第２の情報、
物理層によって決定されるチャネル送信優先度、
同時に送信できる上りチャネルの数、の少なくとも１つを含む。
【０１３６】
オプションで、前記チャネルの識別情報は、
チャネルタイプ、
チャネルが属するセルの識別子、
チャネルが属するセルグループの識別子、
チャネルが属するセルタイプの識別、
チャネルが属するアップリンクキャリア識別子、うちの少なくとも１つを含む、
および／または、
前記第２の情報は、
送信電力が前記端末装置が許容する最大送信電力を超えていることを示すための情報、
送信条件の制限のために同時に送信できないことを示すための情報、
上りチャネルの物理リソースが占有されていることを示すための情報、うちの少なくとも１つを含む。
【０１３７】
オプションで、前記端末装置にはさらに、
前記Ｎ個の上りチャネルのそれぞれに対応する優先度に従って、前記Ｎ個の上りチャネルのうち、少なくとも一部の上りチャネルで送信する前に、前記端末装置の物理層を通して前記第１の情報を媒体アクセス制御ＭＡＣ層に指示するように構成される、第１の指示モジュールを備える。
【０１３８】
オプションで、前記端末装置にはさらに、
前記Ｎ個の上りチャネルの各上りチャネルに対応する優先度に従って、前記Ｎ個の上りチャネルの少なくとも一部の上りチャネルで送信する前に、前記ＭＡＣ層が  第１の情報と前記Ｎ個の上りチャネルの各上りチャネルに対応するサービス情報に従って、前記Ｎ個の上りチャネルの各上りチャネル対応する優先度を決定するように構成される、第１の決定モジュールを含む。
【０１３９】
オプションで、前記端末装置にはさらに、
前記Ｎ個の上りチャネルの各上りチャネルに対応する優先度に従って、前記Ｎ個の上りチャネルの少なくとも一部の上りチャネルで送信する前に、前記端末装置の媒体アクセス制御ＭＡＣ層を通して、前記Ｎ個の上りチャネルのそれぞれに対応するサービス情報を物理層に指示するように構成される、第２の指示モジュールと、
前記物理層を通して前記Ｎ個の上りチャネルの各上りチャネルに対応するサービス情報に従って、前記Ｎ個の上りチャネルの各上りチャネルに対応する優先度を決定するように構成される、第２の決定モジュールとを含む。
【０１４０】
本開示の実施形態によって提供される端末装置６００は、図２から図５の方法実施形態において端末装置によって実施される各プロセスを実施することができる。繰り返しを回避するために、ここで詳しく説明しない。
【０１４１】
本開示の実施形態による端末装置６００および送信モジュール６０１は、送信すべきＮ個の上りチャネルで同時に送信できないと判断した場合、前記Ｎ個の上りチャネルのそれぞれに対応する優先度に従って、前記Ｎ個の上りチャネル上りチャネルのうちの少なくとも一部の上りチャネルで送信するように構成される。ここで、Ｎが１より大きい整数であり、前記上りチャネルに対応する優先度は、前記上りチャネルに対応する優先度決定パラメータに基づいて決定され、前記優先度決定パラメータは、少なくとも上りチャネルに対応するサービス情報を含む。本開示の実施形態は、各上りチャネルに対応するサービス情報に従って各上りチャネルの優先度をそれぞれ決定し、各チャネルの優先度に基づいて上りチャネルでの送信を行うことができ、関連技術においてプロトコルで規定された各チャネルの優先度に従って上りチャネルでの送信を行うことより、上りチャネル送信の柔軟性を向上させる。
【０１４２】
図７を参照する。図７は、本開示の一実施形態によって提供されるネットワーク側装置の構造図である。図７に示されるように、ネットワーク側装置７００は、送信モジュール７０１を備える。ここで、
【０１４３】
送信モジュールは、第１の対応関係を端末装置に送信するように構成され、ここで、前記第１の対応関係は、上りチャネルに対応するサービス情報と上りチャネルに対応する優先度との間の対応関係である。
【０１４４】
本開示の実施形態によって提供されるネットワーク側装置７００は、図２から図５の方法の実施形態においてネットワーク側装置によって実施される様々なプロセスを実施することができる。繰り返しを回避するために、ここで詳しく説明しない。
【０１４５】
本開示の実施形態におけるネットワーク側装置７００、送信モジュール７０１は、第１の対応する関係を端末装置に送信するように構成される。ここで、第１の対応する関係は、上りチャネルに対応するサービス情報と上りチャネルに対応する優先度との間の対応関係であり、第１の対応関係の構成の柔軟性を向上させることができる。
【０１４６】
図８は、本開示の実施形態によって提供される別の端末装置の構造図である。図８を参照する。端末装置８００は、無線周波数ユニット８０１、ネットワークモジュール８０２、オーディオ出力ユニット８０３、入力ユニット８０４、センサ８０５、表示ユニット８０６、ユーザ入力ユニット８０７、インターフェースユニット８０８、メモリ８０９、プロセッサ８１０、および電源８１１などのコンポネントを備えるが、これらに限定されない。当業者は、図８に示される端末装置の構造が端末装置に対する制限を構成せず、端末装置が図に示されるよりも多いまたは少ないコンポネント、または特定のコンポネントの組み合わせ、または異なるコンポネントの配置を備えてもよいことを理解することができる。本開示の実施形態では、端末装置には、携帯電話、タブレットコンピュータ、ノートブックコンピュータ、パームトップコンピュータ、車載端末、ウェアラブルデバイス、および歩数計が含まれるが、これらに限定されない。
【０１４７】
ここで、無線周波数ユニット８０１は、送信すべきＮ個の上りチャネルで同時に送信できないと判断した場合に、前記Ｎ個の上りチャネルのそれぞれに対応する優先度に従って、前記Ｎ個の上りチャネルのうちの少なくとも一部の上りチャネルで送信するように構成される。ここで、Ｎが１より大きい整数であり、前記上りチャネルに対応する優先度は、前記上りチャネルに対応する優先度決定パラメータに基づいて決定され、前記優先度決定パラメータには、少なくとも前記上りチャネルに対応するサービス情報が含まれる。
【０１４８】
本開示の実施形態は、各上りチャネルに対応するサービス情報に従って各上りチャネルの優先度をそれぞれ決定し、各チャネルの優先度に基づいて上りチャネルでの送信を行うことができ、関連技術においてプロトコルで規定された各チャネルの優先度に従って上りチャネルでの送信を行うことより、上りチャネル送信の柔軟性を向上させる。
【０１４９】
オプションで、前記上りチャネルに対応するサービス情報には、
前記上りチャネルに含まれるデータに対応するサービスタイプ情報、
前記上りチャネルでの送信をトリガーするのに対応するサービスタイプ情報、の少なくとも１つが含まれる。
【０１５０】
オプションで、前記上りチャネルに物理上り共有チャネルＰＵＳＣＨが含まれる場合、前記ＰＵＳＣＨに含まれるデータに対応するサービスタイプ情報には、前記ＰＵＳＣＨに含まれるデータの論理チャネルに対応する情報、媒体アクセス制御制御ユニットＭＡＣ  ＣＥタイプ、媒体アクセス制御制御ユニットＭＡＣ  ＣＥの優先度の少なくとも１つが含まれる、
および／または、
前記上りチャネルに物理上り制御チャネルＰＵＣＣＨが含まれる場合、前記ＰＵＣＣＨに含まれるデータに対応するサービスタイプ情報には、データタイプ、データタイプに対応するサービス情報、の少なくとも１つが含まれる、
および／または、
前記上りチャネルに物理ランダムアクセスチャネルＰＲＡＣＨが含まれる場合、前記ＰＲＡＣＨ送信をトリガーするのに対応するサービスタイプ情報には、前記ＰＲＡＣＨ送信をトリガーするトリガーイベントのタイプ、前記ＰＲＡＣＨ送信の論理チャネルをトリガーするのに対応する情報、の少なくとも１つが含まれる、
および／または、
前記上りチャネルにサウンディングリファレンス信号ＳＲＳチャネルが含まれる場合、前記ＳＲＳ送信をトリガーするサービスタイプ情報には、前記ＳＲＳ送信をトリガーするトリガーイベントのタイプが含まれる。
【０１５１】
オプションで、前記データタイプにスケジューリング要求ＳＲが含まれる場合、前記データタイプに対応するサービス情報には、前記ＳＲの送信の論理チャネルをトリガーするのに対応する情報が含まれる、
および／または、
前記データタイプにハイブリッド自動リピート要求ＨＡＲＱフィードバックが含まれる場合、前記データタイプに対応するサービス情報には、前記ＨＡＲＱ送信の論理チャネルをトリガーするのに対応する情報が含まれる、
および／または、
前記データタイプにチャネル状態情報ＣＳＩレポートが含まれる場合、前記データタイプに対応するサービス情報には、前記ＣＳＩレポートをトリガーするトリガータイプが含まれる。
【０１５２】
オプションで、前記論理チャネルに対応する情報には、
論理チャネル識別子、
論理チャネルの優先度、
論理チャネルに対応するセル、
論理チャネルに対応するセルグループ、
論理チャネルに対応するデータタイプ、
論理チャネルに対応する制御シグナリングタイプ、の少なくとも１つを含んでもよい。
【０１５３】
オプションで、ＰＲＡＣＨ送信をトリガーするトリガーイベントのタイプには、
無線リソース制御ＲＲＣのアイドル状態または非アクティブ状態の初期アクセス、
無線リソース制御ＲＲＣの非アクティブ状態遷移、
無線リソース制御ＲＲＣの接続の再確立、
スイッチング、
プライマリセルとセカンダリセルの追加または変更、
無線リソース制御ＲＲＣの接続状態での下りデータ到着または上りデータ到着、かつ上り同期の状態が非同期状態にあること、
セカンダリセルの上りタイミングを確立すること、
システム情報の要求、
ビーム障害からの回復、の少なくとも１つを含んでもよい。
【０１５４】
オプションで、上りチャネルに異なるサービスタイプ情報に対応する少なくとも２つのデータが含まれる場合、上りチャネルに対応するサービス情報は、少なくとも２つのデータの優先度に基づき、少なくとも２つのデータに対応するサービスタイプ情報から、決定されるものである。
【０１５５】
オプションで、前記上りチャネルに対応する優先度は、第１の対応関係および前記上りチャネルに対応するサービス情報に従って決定される。ここで、前記第１の対応関係は、上りチャネルに対応するサービス情報と上りチャネルに対応する優先度の間の対応関係である。
【０１５６】
オプションで、前記第１の対応関係はプロトコルによって事前定義される。
【０１５７】
オプションで、無線周波数ユニット８０１はさらに、
ネットワーク側装置から送信される前記第１の対応関係を受信するように構成される。
【０１５８】
オプションで、プロセッサ８１０は、
前記Ｎ個の上りチャネルのそれぞれに対応する優先度が同じである場合、前記Ｎ個の上りチャネルから、Ｍ個の上りチャネルをランダムに選択して送信するように構成され、Ｍは同時に送信できる上りチャネルの数である。
【０１５９】
オプションで、前記優先度決定パラメータはさらに第１の情報を含み、前記第１の情報は、同時に送信できない上りチャネル情報を示すためである。
【０１６０】
オプションで、第１の情報は、
チャネルの識別情報、
前記Ｎ個の上りチャネルで同時に送信できない理由を示すための第２の情報、
物理層によって決定されるチャネル送信優先度、
同時に送信できる上りチャネルの数、の少なくとも１つを含む。
【０１６１】
オプションで、前記チャネルの識別情報は、
チャネルタイプ、
チャネルが属するセルの識別子、
チャネルが属するセルグループの識別子、
チャネルが属するセルタイプの識別、
チャネルが属するアップリンクキャリア識別子、うちの少なくとも１つを含む、
および／または、
前記第２の情報は、
送信電力が前記端末装置が許容する最大送信電力を超えていることを示すための情報、
送信条件の制限のために同時に送信できないことを示すための情報、
上りチャネルの物理リソースが占有されていることを示すための情報、うちの少なくとも１つを含む。
【０１６２】
オプションで、前記プロセッサ８１０はさらに、
前記Ｎ個の上りチャネルのそれぞれに対応する優先度に従って、前記Ｎ個の上りチャネルのうち、少なくとも一部の上りチャネルで送信する前に、前記端末装置の物理層を通して前記第１の情報を媒体アクセス制御ＭＡＣ層に指示するように構成される。
【０１６３】
オプションで、前記プロセッサ８１０はさらに、
前記Ｎ個の上りチャネルの各上りチャネルに対応する優先度に従って、前記Ｎ個の上りチャネルの少なくとも一部の上りチャネルで送信する前に、前記ＭＡＣ層が第１の情報と前記Ｎ個の上りチャネルの各上りチャネルに対応するサービス情報に従って、前記Ｎ個の上りチャネルの各上りチャネル対応する優先度を決定するように構成される。
【０１６４】
オプションで、前記プロセッサ８１０はさらに、
前記Ｎ個の上りチャネルの各上りチャネルに対応する優先度に従って、前記Ｎ個の上りチャネルの少なくとも一部の上りチャネルで送信する前に、前記端末装置の媒体アクセス制御ＭＡＣ層を通して、前記Ｎ個の上りチャネルのそれぞれに対応するサービス情報を物理層に指示し、
前記物理層を通して、前記Ｎ個の上りチャネルの各上りチャネルに対応するサービス情報に従って、前記Ｎ個の上りチャネルの各上りチャネルに対応する優先度を決定するように構成される。
【０１６５】
本開示の実施形態では、無線周波数ユニット８０１は、情報の送受信または通話中で、信号を送受信するように構成されることを理解されたい。具体的には、基地局からの下りデータを受信した後、プロセッサ８１０に渡して処理し、また、上りデータを基地局に送信する。一般に、無線周波数ユニット８０１は、アンテナ、少なくとも１つの増幅器、トランシーバ、カプラ、低ノイズ増幅器、デュプレクサなどを備えるが、これらに限定されない。さらに、無線周波数ユニット８０１はまた、無線通信システムを介してネットワークおよび他の装置と通信することができる。
【０１６６】
端末装置は、ユーザが電子メールを送受信したり、Ｗｅｂページを閲覧したり、ストリーミングメディアにアクセスしたりするのを支援するなど、ネットワークモジュール８０２を介してワイヤレスのブロードバンドインターネットアクセスをユーザに提供する。
【０１６７】
オーディオ出力ユニット８０３は、無線周波数ユニット８０１またはネットワークモジュール８０２によって受信された、またはメモリ８０９に格納されたオーディオデータをオーディオ信号に変換し、音声として出力することができる。さらに、オーディオ出力ユニット８０３はまた、端末装置８００によって実行される特定の機能（例えば、呼信号の受信音、メッセージ受信音など）に関連するオーディオ出力を提供することができる。オーディオ出力ユニット８０３は、スピーカ、ブザー、レシーバーなどを備える。
【０１６８】
入力ユニット８０４は、オーディオまたはビデオ信号を受信するように構成される。入力ユニット８０４は、グラフィックプロセッサ（Ｇｒａｐｈｉｃｓ  Ｐｒｏｃｅｓｓｉｎｇ  Ｕｎｉｔ、ＧＰＵ）８０４１およびマイク８０４２を備えてもよい。グラフィックプロセッサ８０４１は、ビデオキャプチャモードまたは画像キャプチャモードで画像キャプチャ装置（カメラなど）によって取得される静止画像またはビデオの画像データを処理する。処理された画像フレームは、表示ユニット８０６上に表示することができる。グラフィックプロセッサ８０４１によって処理された画像フレームは、メモリ８０９（または他の記憶媒体）に格納されてもよいか、または無線周波数ユニット８０１或いはネットワークモジュール８０２を介して送信されてもよい。マイク８０４２は音声を受信でき、そのような音声をオーディオデータに処理できる。処理されたオーディオデータは、電話の通話モードで、無線周波数ユニット８０１を介して移動通信基地局に送信できるフォーマットに変換して出力することができる。
【０１６９】
端子装置８００は、光センサ、運動センサ、および他のセンサなどの少なくとも１つのセンサ８０５をさらに備える。具体的には、光センサは、周囲光センサと近接センサとを含み、ここで、周囲光センサは、周囲光の輝度に応じて表示パネル８０６１の輝度を調整することができ、近接センサは、端末装置８００が耳の近傍に移動されると、表示パネル８０６１および／またはバックライト表示パネル８０６１をオフにすることができる。加速度センサは、モーションセンサの一種として、さまざまな方向（通常は３軸）の加速度の大きさを検出し、静止時の重力の大きさと方向を検出することができるので、端末装置の姿勢（水平および垂直の画面切り替え、関連ゲーム、磁気計姿勢校正など）の識別、振動識別関連機能（歩数計、タップなど）などに使用されてもよい。センサ８０５には、指紋センサ、圧力センサ、虹彩センサ、分子センサ、ジャイロスコープ、気圧計、湿度計、温度計、赤外線センサなどを含んでもよいが、ここでは繰り返さない。
【０１７０】
表示ユニット８０６は、ユーザによって入力される情報またはユーザに提供される情報を表示するように構成される。表示ユニット８０６は、表示パネル８０６１を備えてもよい。表示パネル８０６１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で構成されてもよい。
【０１７１】
ユーザ入力ユニット８０７は、入力される数値または文字情報を受信したり、端末装置のユーザ設定および機能制御に関連するキー信号入力を生成したりするように構成される。具体的には、ユーザ入力ユニット８０７は、タッチパネル８０７１および他の入力装置８０７２を含む。タッチパネル８０７１は、タッチスクリーンとも呼ばれ、タッチパネル８０７１またはその近くでのユーザのタッチ操作（たとえば、ユーザは指やスタイラスペンなどの適切なオブジェクトやアクセサリを使用してタッチパネル８０７１またはタッチパネル８０７１の近くでの操作）を収集できる。タッチパネル８０７１は、タッチ検出装置およびタッチコントローラの２つの部分を含んでもよい。ここで、タッチ検出装置は、ユーザのタッチ方向および位置を検出し、タッチ操作によってもたらされる信号を検出し、その信号をタッチコントローラに送信する。タッチコントローラは、タッチ検出装置からタッチ情報を受信し、それをタッチポイントの座標に変換してプロセッサ８１０に送信し、プロセッサ８１０によって送信される命令を受信して実行する。さらに、タッチパネル８０７１は、抵抗式、容量式、赤外線、表面音響波などの複数のタイプで実装できる。タッチパネル８０７１に加えて、ユーザ入力ユニット８０７はまた、他の入力装置８０７２を備えてもよい。具体的に、他の入力装置８０７２には、物理的なキーボード、機能キー（音量調節ボタン、スイッチボタンなど）、トラックボール、マウス、およびジョイスティックが含まれてもよいが、これらに限定されず、ここでは繰り返されない。
【０１７２】
さらに、タッチパネル８０７１は、表示パネル８０６１を覆ってもよい。タッチパネル８０７１は、その上または近くでのタッチ操作を検出すると、タッチイベントのタイプを決定するように、それをプロセッサ８１０に送信する。その後、プロセッサ８１０はタッチイベントのタイプに従い、対応する視覚的出力を表示パネル８０６１に提供する。図８では、タッチパネル８０７１および表示パネル８０６１は、２つの独立したコンポネントとして端末装置の入力および出力機能を実装するが、いくつかの実施形態では、タッチパネル８０７１および表示パネル８０６１を集積して端末装置の入力および出力機能を実装してもよく、ここでは特に限定されない。
【０１７３】
インターフェースユニット８０８は、外部装置が端末装置８００と接続するためのインターフェースである。たとえば、外部装置には、有線または無線のヘッドセットポート、外部電源（またはバッテリー充電器）ポート、有線または無線のデータポート、メモリカードポート、識別モジュールを備える装置に接続するためのポート、オーディオ入力／出力（Ｉ／Ｏ）ポート、ビデオＩ／Ｏポート、イヤフォンポートなど含んでもよい。インターフェースユニット８０８は、外部装置からの入力（例えば、データ情報、電力など）を受信し、受信した入力を端末装置８００の１つまたは複数の部品に伝送する、または端末装置８００および外部装置の間でデータを伝送するように構成される。
【０１７４】
メモリ８０９は、ソフトウェアプログラムおよび様々なデータを格納するように構成されてもよい。メモリ８０９は、主に、プログラム記憶領域およびデータ記憶領域を含んでもよい。ここで、プログラム記憶領域は、オペレーティングシステム、少なくとも１つの機能（音声再生機能、画像再生機能など）のためのアプリケーションプログラムなどを格納してもよいが、データ記憶領域は、携帯電話の使用により作成されるデータ（オーディオデータ、電話帳など）などを格納してもよい。さらに、メモリ８０９は、高速ランダムアクセスメモリを含んでもよく、また、少なくとも１つの磁気ディスクストレージデバイス、フラッシュメモリデバイスなどの非揮発性メモリ、または他の揮発性固体ストレージデバイスを含んでもよい。
【０１７５】
プロセッサ８１０は、端末装置の制御センターであり、様々なインターフェースおよび回線を使用し端末装置全体の様々な部分を接続し、メモリ８０９に格納されたソフトウェアプログラムおよび／またはモジュールをランニングまたは実行し、並びにメモリ８０９に格納されたデータを呼び出すことで、端末装置全体を監視するために、端末装置のさまざまな機能を実行し、データを処理する。プロセッサ８１０は、１つまたは複数の処理ユニットを含んでもよい。好ましくは、プロセッサ８１０は、アプリケーションプロセッサとモデムプロセッサとを集積することができる。中には、アプリケーションプロセッサは、主にオペレーティングシステム、ユーザインターフェース、およびアプリケーションプログラムなどを扱い、モデムプロセッサは、主にワイヤレス通信を扱う。上記のモデムプロセッサは、プロセッサ８１０に集積されない場合もあることを理解されたい。
【０１７６】
端末装置８００はまた、様々なコンポネントに電力を供給するための電源８１１（バッテリーなど）を備えてもよい。好ましくは、電源８１１は、電源管理システムを介してプロセッサ８１０に論理的に接続されてよいので、電源管理システムを介して充電、放電、および電力消費管理などの機能を実現する。
【０１７７】
さらに、ここでは繰り返さないが、端末装置８００は、示されていないいくつかの機能モジュールを備える。
【０１７８】
好ましくは、本開示の実施形態は、プロセッサ８１０、メモリ８０９、およびメモリ８０９に格納され、プロセッサ８１０で実行されるコンピュータプログラムを備える端末装置をさらに提供する。当該コンピュータプログラムがプロセッサ８１０によって実行されるとき、上記の伝送方法の実施形態の各プロセスが実施され、同じ技術的効果を達成することができる。繰り返しを回避するために、ここでは詳細を繰り返さない。
【０１７９】
図９を参照する。図９は、本開示の一実施形態によって提供されるネットワーク側装置の構造図である。図９に示すように、ネットワーク側装置９００は、プロセッサ９０１、メモリ９０２、バスインターフェース９０３、およびトランシーバ９０４を備え、プロセッサ９０１、メモリ９０２、およびトランシーバ９０４はすべて、バスインターフェース９０３に接続されている。
【０１８０】
ここで、本開示の実施形態では、ネットワーク側装置９００は、メモリ９０２に格納され、プロセッサ９０１で実行されるコンピュータプログラムをさらに備え、コンピュータプログラムは、プロセッサ９０１によって実行されると、以下のステップを実施する：
第１の対応関係を端末装置に送信し、ここで、前記第１の対応関係は、上りチャネルに対応するサービス情報と上りチャネルに対応する優先度との間の対応関係である。
【０１８１】
本開示の実施形態は、プロセッサ９０１、メモリ９０２、およびメモリ９０２に格納され、プロセッサ９０１で実行されるコンピュータプログラムを備えるネットワーク側装置をさらに提供する。当該コンピュータプログラムがプロセッサ９０１によって実行されるとき、上記の伝送方法の実施形態の各プロセスが実施され、同じ技術的効果を達成することができる。繰り返しを回避するために、ここでは詳細を繰り返さない。
【０１８２】
本開示の実施形態はまた、コンピュータプログラムが格納されるコンピュータ可読記憶媒体を提供する。当該コンピュータプログラムがプロセッサによって実行されるとき、上記の伝送方法の実施形態の各プロセスが実現され、同じ技術的効果を達成することができる。繰り返しを避けるために、ここでは詳しく説明しない。ここで、前記コンピュータ可読記憶媒体は、例えば、読み取り専用メモリ（Ｒｅａｄ−Ｏｎｌｙ  Ｍｅｍｏｒｙ、略してＲＯＭ）、ランダムアクセスメモリ（Ｒａｎｄｏｍ  Ａｃｃｅｓｓ  Ｍｅｍｏｒｙ、略してＲＡＭ）、磁気ディスク、または光ディスクなどである。
【０１８３】
本明細書では、「含む」、「備える」、またはそれらの他の変形という用語は、非排他的な包含をカバーすることを意図しているため、一連の要素を含むプロセス、方法、物品、または装置は、それらの要素を含むだけではなく、また、明示的にリストされていない他の要素、またはプロセス、方法、物品、または装置に固有の要素も含まれることに留意されたい。これ以上の制限ない場合、「１つの・・・を含む」という文で限定される要素は、その要素を含むプロセス、方法、物品、または装置内の他の同一の要素の存在を除外しない。
【０１８４】
上記の実施形態の説明を通じて、当業者は、上記の実施形態の方法が、ソフトウェアに必要な汎用的なハードウェアプラットフォームを加えることによって実施できることを明確に理解することができる。もちろん、ハードウェアによっても実施できるが、多くの場合、前者の方が優れている実施形態である。このような理解に基づいて、本開示の技術案は、本質的に、または関連する技術に寄与する部分をソフトウェア製品の形で具体化することができ、当該コンピュータソフトウェア製品は、記憶媒体（ＲＯＭ／ＲＡＭ、磁気ディスク、光ディスクなど）に格納され、端末（携帯電話、コンピュータ、サーバー、エアコン、またはネットワーク装置などであってもよい）に、本開示の各実施形態に記載される方法を実行させるためのいくつかの命令を含む。
【０１８５】
本開示の実施形態は、添付の図面を参照して以上に記載されているが、本開示は、上記の特定の実施形態に限定されない。上記の特定の実施形態は、例示にすぎず、限定的ではない。当業者は、本開示の示唆の下で、本開示の旨および特許請求の範囲から逸脱することなく、多くの形態を作成することができ、これらはすべて本開示の請求の範囲内にある。
【図１】
2022500949.tif 000003
【図２】
2022500949.tif 000004
【図３】
2022500949.tif 000005
【図４】
2022500949.tif 000006
【図５】
2022500949.tif 000007
【図６】
2022500949.tif 000008
【図７】
2022500949.tif 000009
【図８】
2022500949.tif 000010
【図９】
2022500949.tif 000011
【手続補正書】
【提出日】令和3年4月14日(2021.4.14)
【手続補正１】
【補正対象書類名】特許請求の範囲
【補正対象項目名】全文
【補正方法】変更
【補正の内容】
【特許請求の範囲】
【請求項１】
端末装置のための伝送方法であって、
送信すべきＮ個の上りチャネルで同時に送信できないと判断した場合、前記Ｎ個の上りチャネルのうち、それぞれの上りチャネルに対応する優先度に従って、前記Ｎ個の上りチャネルのうち、少なくとも一部の上りチャネルで送信することを含み、
ここで、Ｎは１より大きい整数であり、前記上りチャネルに対応する優先度は、前記上りチャネルに対応する優先度決定パラメータに基づいて決定され、前記優先度決定パラメータは、少なくとも前記上りチャネルに対応するサービス情報を含む、ことを特徴とする伝送方法。
【請求項２】
前記上りチャネルに対応するサービス情報は、
前記上りチャネルに含まれるデータに対応するサービスタイプ情報と、
前記上りチャネルでの送信をトリガーするのに対応するサービスタイプ情報と、の少なくとも１つを含む、ことを特徴とする請求項１に記載の伝送方法。
【請求項３】
前記上りチャネルに物理上り共有チャネルＰＵＳＣＨが含まれる場合、前記ＰＵＳＣＨに含まれるデータに対応するサービスタイプ情報には、前記ＰＵＳＣＨに含まれるデータの論理チャネルに対応する情報と、媒体アクセス制御制御ユニットＭＡＣ  ＣＥタイプと、媒体アクセス制御制御ユニットＭＡＣ  ＣＥの優先度との少なくとも１つが含まれる、
および／または、
前記上りチャネルに物理上り制御チャネルＰＵＣＣＨが含まれる場合、前記ＰＵＣＣＨに含まれるデータに対応するサービスタイプ情報には、データタイプと、データタイプに対応するサービス情報との少なくとも１つが含まれる、
および／または、
前記上りチャネルに物理ランダムアクセスチャネルＰＲＡＣＨが含まれる場合、前記ＰＲＡＣＨ送信をトリガーするのに対応するサービスタイプ情報には、前記ＰＲＡＣＨ送信をトリガーするトリガーイベントのタイプと、前記ＰＲＡＣＨ送信の論理チャネルをトリガーするのに対応する情報との少なくとも１つが含まれる、
および／または、
前記上りチャネルにサウンディングリファレンス信号ＳＲＳチャネルが含まれる場合、前記ＳＲＳ送信をトリガーするサービスタイプ情報には、前記ＳＲＳ送信をトリガーするトリガーイベントのタイプが含まれる、ことを特徴とする請求項２に記載の伝送方法。
【請求項４】
前記データタイプにスケジューリング要求ＳＲが含まれる場合、前記データタイプに対応するサービス情報には、前記ＳＲの送信の論理チャネルをトリガーするのに対応する情報が含まれる、
および／または、
前記データタイプにハイブリッド自動リピート要求ＨＡＲＱフィードバックが含まれる場合、前記データタイプに対応するサービス情報には、前記ＨＡＲＱ送信の論理チャネルをトリガーするのに対応する情報が含まれる、
および／または、
前記データタイプにチャネル状態情報ＣＳＩレポートが含まれる場合、前記データタイプに対応するサービス情報には、前記ＣＳＩレポートをトリガーするトリガータイプが含まれる、ことを特徴とする請求項３に記載の伝送方法。
【請求項５】
前記論理チャネルに対応する情報は、
論理チャネル識別子と、
論理チャネルの優先度と、
論理チャネルに対応するセルと、
論理チャネルに対応するセルグループと、
論理チャネルに対応するデータタイプと、
論理チャネルに対応する制御シグナリングタイプとの少なくとも１つを含む、ことを特徴とする請求項３または４に記載の伝送方法。
【請求項６】
前記Ｎ個の上りチャネルのそれぞれの上りチャネルに対応する優先度に従って、前記Ｎ個の上りチャネルのうち、少なくとも一部の上りチャネルで送信することは、
前記Ｎ個の上りチャネルのそれぞれに対応する優先度が同じである場合、前記Ｎ個の上りチャネルから、Ｍ個の上りチャネルをランダムに選択して送信することを含み、Ｍは同時に送信できる上りチャネルの数である、ことを特徴とする請求項１に記載の伝送方法。
【請求項７】
前記優先度決定パラメータはさらに第１の情報を含み、前記第１の情報は、同時に送信できない上りチャネルの情報を示すためである、ことを特徴とする請求項１に記載の伝送方法。
【請求項８】
前記第１の情報は、
チャネルの識別情報と、
前記Ｎ個の上りチャネルで同時に送信できない理由を示すための第２の情報と、
物理層によって決定されるチャネル送信優先度と、
同時に送信できる上りチャネルの数との少なくとも１つを含み、
前記チャネルの識別情報は、
チャネルタイプと、
チャネルが属するセルの識別子と、
チャネルが属するセルグループの識別子と、
チャネルが属するセルタイプの識別と、
チャネルが属するアップリンクキャリア識別子との少なくとも１つを含む、
および／または、
前記第２の情報は、
送信電力が前記端末装置が許容する最大送信電力を超えていることを示すための情報と、
送信条件の制限のために同時に送信できないことを示すための情報と、
上りチャネルの物理リソースが占有されていることを示すための情報との少なくとも１つを含む、ことを特徴とする請求項７に記載の伝送方法。
【請求項９】
前記Ｎ個の上りチャネルのそれぞれの上りチャネルに対応する優先度に従って、前記Ｎ個の上りチャネルのうち、少なくとも一部の上りチャネルで送信する前に、前記方法は、
前記端末装置の物理層は、媒体アクセス制御ＭＡＣ層に前記第１の情報を指示することをさらに含む、ことを特徴とする請求項７に記載の伝送方法。
【請求項１０】
端末装置のための伝送方法であって、
第１の対応関係を端末装置に送信することを含み、ここで、前記第１の対応関係は、上りチャネルに対応するサービス情報と上りチャネルに対応する優先度との間の対応関係である、ことを特徴とする伝送方法。
【請求項１１】
端末装置であって、
送信すべきＮ個の上りチャネルで同時に送信できないと判断した場合、前記Ｎ個の上りチャネルのうち、それぞれの上りチャネルに対応する優先度に従って、前記Ｎ個の上りチャネルのうち、少なくとも一部の上りチャネルで送信するように構成される送信モジュールを備え、
ここで、Ｎは１より大きい整数であり、前記上りチャネルに対応する優先度は、前記上りチャネルに対応する優先度決定パラメータに基づいて決定され、前記優先度決定パラメータは、少なくとも前記上りチャネルに対応するサービス情報を含む、ことを特徴とする端末装置。
【請求項１２】
前記上りチャネルに対応するサービス情報は、
前記上りチャネルに含まれるデータに対応するサービスタイプ情報と、
前記上りチャネルでの送信をトリガーするのに対応するサービスタイプ情報との少なくとも１つを含む、ことを特徴とする請求項１１に記載の端末装置。
【請求項１３】
前記上りチャネルに物理上り共有チャネルＰＵＳＣＨが含まれる場合、前記ＰＵＳＣＨに含まれるデータに対応するサービスタイプ情報には、前記ＰＵＳＣＨに含まれるデータの論理チャネルに対応する情報と、媒体アクセス制御制御ユニットＭＡＣ  ＣＥタイプと、媒体アクセス制御制御ユニットＭＡＣ  ＣＥの優先度との少なくとも１つが含まれる、
および／または、
前記上りチャネルに物理上り制御チャネルＰＵＣＣＨが含まれる場合、前記ＰＵＣＣＨに含まれるデータに対応するサービスタイプ情報には、データタイプと、データタイプに対応するサービス情報との少なくとも１つが含まれる、
および／または、
前記上りチャネルに物理ランダムアクセスチャネルＰＲＡＣＨが含まれる場合、前記ＰＲＡＣＨ送信をトリガーするのに対応するサービスタイプ情報には、前記ＰＲＡＣＨ送信をトリガーするトリガーイベントのタイプと、前記ＰＲＡＣＨ送信の論理チャネルをトリガーするのに対応する情報との少なくとも１つが含まれる、
および／または、
前記上りチャネルにサウンディングリファレンス信号ＳＲＳチャネルが含まれる場合、前記ＳＲＳ送信をトリガーするサービスタイプ情報には、前記ＳＲＳ送信をトリガーするトリガーイベントのタイプが含まれる、ことを特徴とする請求項１２に記載の端末装置。
【請求項１４】
前記データタイプにスケジューリング要求ＳＲが含まれる場合、前記データタイプに対応するサービス情報には、前記ＳＲの送信の論理チャネルをトリガーするのに対応する情報が含まれる、
および／または、
前記データタイプにハイブリッド自動リピート要求ＨＡＲＱフィードバックが含まれる場合、前記データタイプに対応するサービス情報には、前記ＨＡＲＱ送信の論理チャネルをトリガーするのに対応する情報が含まれる、および／または、
前記データタイプにチャネル状態情報ＣＳＩレポートが含まれる場合、前記データタイプに対応するサービス情報には、前記ＣＳＩレポートをトリガーするトリガータイプが含まれる、ことを特徴とする請求項１３に記載の端末装置。
【請求項１５】
ネットワーク側装置であって、
第１の対応関係を端末装置に送信するように構成される送信モジュールを備え、ここで、前記第１の対応関係は、上りチャネルに対応するサービス情報と上りチャネルに対応する優先度との間の対応関係である、ことを特徴とするネットワーク側装置。
【国際調査報告】
2022500949.tif 000012
2022500949.tif 000013
2022500949.tif 000014
2022500949.tif 000015